(57)【特許請求の範囲】
【請求項１】
サウンディングリファレンスシグナルを基地局装置へ送信する移動局装置であって、
第１のパラメータおよび第２のパラメータが含まれる上位層の信号を受信する手段と、
前記サウンディングリファレンスシグナルの送信を要求する情報が含まれ、物理上りリンク共用チャネルのスケジューリングのために用いられる第１の下りリンク制御情報フォーマットを受信する手段と、
前記情報が含まれ、物理下りリンク共用チャネルのスケジューリングのために用いられる第２の下りリンク制御情報フォーマットを受信する手段と、
前記情報を検出した場合に、前記第１のパラメータまたは前記第２のパラメータに基づいて前記サウンディングリファレンスシグナルを送信する手段と、を備え、
前記第１のパラメータは、前記第１の下りリンク制御情報フォーマットに含まれる前記情報の検出に基づく前記サウンディングリファレンスシグナルの送信に対して設定され、
前記第２のパラメータは、前記第２の下りリンク制御情報フォーマットに含まれる前記情報の検出に基づく前記サウンディングリファレンスシグナルの送信に対して設定され、
前記第１の下りリンク制御情報フォーマットおよび前記第２の下りリンク制御情報フォーマットは、ユーザー装置スペシフィックサーチスペースにおいて受信される
ことを特徴とする移動局装置。
【請求項２】
サウンディングリファレンスシグナルを移動局装置から受信する基地局装置であって、
第１のパラメータおよび第２のパラメータが含まれる上位層の信号を送信する手段と、
前記サウンディングリファレンスシグナルの送信を要求する情報が含まれ、物理上りリンク共用チャネルのスケジューリングのために用いられる第１の下りリンク制御情報フォーマットを送信する手段と、
前記情報が含まれ、物理下りリンク共用チャネルのスケジューリングのために用いられる第２の下りリンク制御情報フォーマットを送信する手段と、
前記情報を送信した場合に、前記第１のパラメータまたは前記第２のパラメータに基づいて前記サウンディングリファレンスシグナルを受信する手段と、を備え、
前記第１のパラメータは、前記第１の下りリンク制御情報フォーマットに含まれる前記情報に基づく前記サウンディングリファレンスシグナルの送信に対して設定され、
前記第２のパラメータは、前記第２の下りリンク制御情報フォーマットに含まれる前記情報に基づく前記サウンディングリファレンスシグナルの送信に対して設定され、
前記第１の下りリンク制御情報フォーマットおよび前記第２の下りリンク制御情報フォーマットは、ユーザー装置スペシフィックサーチスペースにおいて送信される
ことを特徴とする基地局装置。
【請求項３】
サウンディングリファレンスシグナルを基地局装置へ送信する移動局装置の通信方法であって、
第１のパラメータおよび第２のパラメータが含まれる上位層の信号を受信し、
前記サウンディングリファレンスシグナルの送信を要求する情報が含まれ、物理上りリンク共用チャネルのスケジューリングのために用いられる第１の下りリンク制御情報フォーマットを受信し、
前記情報が含まれ、物理下りリンク共用チャネルのスケジューリングのために用いられる第２の下りリンク制御情報フォーマットを受信し、
前記情報を検出した場合に、前記第１のパラメータまたは前記第２のパラメータに基づいて前記サウンディングリファレンスシグナルを送信し、
前記第１のパラメータは、前記第１の下りリンク制御情報フォーマットに含まれる前記情報の検出に基づく前記サウンディングリファレンスシグナルの送信に対して設定され、
前記第２のパラメータは、前記第２の下りリンク制御情報フォーマットに含まれる前記情報の検出に基づく前記サウンディングリファレンスシグナルの送信に対して設定され、
前記第１の下りリンク制御情報フォーマットおよび前記第２の下りリンク制御情報フォーマットは、ユーザー装置スペシフィックサーチスペースにおいて受信される
ことを特徴とする通信方法。
【請求項４】
サウンディングリファレンスシグナルを移動局装置から受信する基地局装置の通信方法であって、
第１のパラメータおよび第２のパラメータが含まれる上位層の信号を送信し、
前記サウンディングリファレンスシグナルの送信を要求する情報が含まれ、物理上りリンク共用チャネルのスケジューリングのために用いられる第１の下りリンク制御情報フォーマットを送信し、
前記情報が含まれ、物理下りリンク共用チャネルのスケジューリングのために用いられる第２の下りリンク制御情報フォーマットを送信し、
前記情報を送信した場合に、前記第１のパラメータまたは前記第２のパラメータに基づいて前記サウンディングリファレンスシグナルを受信し、
前記第１のパラメータは、前記第１の下りリンク制御情報フォーマットに含まれる前記情報に基づく前記サウンディングリファレンスシグナルの送信に対して設定され、
前記第２のパラメータは、前記第２の下りリンク制御情報フォーマットに含まれる前記情報に基づく前記サウンディングリファレンスシグナルの送信に対して設定され、
前記第１の下りリンク制御情報フォーマットおよび前記第２の下りリンク制御情報フォーマットは、ユーザー装置スペシフィックサーチスペースにおいて送信される
ことを特徴とする通信方法。
【請求項５】
サウンディングリファレンスシグナルを基地局装置へ送信する移動局装置に搭載される集積回路であって、
第１のパラメータおよび第２のパラメータが含まれる上位層の信号を受信する機能と、
前記サウンディングリファレンスシグナルの送信を要求する情報が含まれ、物理上りリンク共用チャネルのスケジューリングのために用いられる第１の下りリンク制御情報フォーマットを受信する機能と、
前記情報が含まれ、物理下りリンク共用チャネルのスケジューリングのために用いられる第２の下りリンク制御情報フォーマットを受信する機能と、
前記情報を検出した場合に、前記第１のパラメータまたは前記第２のパラメータに基づいて前記サウンディングリファレンスシグナルを送信する機能と、を前記移動局装置に発揮させ、
前記第１のパラメータは、前記第１の下りリンク制御情報フォーマットに含まれる前記情報の検出に基づく前記サウンディングリファレンスシグナルの送信に対して設定され、
前記第２のパラメータは、前記第２の下りリンク制御情報フォーマットに含まれる前記情報の検出に基づく前記サウンディングリファレンスシグナルの送信に対して設定され、
前記第１の下りリンク制御情報フォーマットおよび前記第２の下りリンク制御情報フォーマットは、ユーザー装置スペシフィックサーチスペースにおいて受信される
ことを特徴とする集積回路。
【請求項６】
サウンディングリファレンスシグナルを移動局装置から受信する基地局装置に搭載される集積回路であって、
第１のパラメータおよび第２のパラメータが含まれる上位層の信号を送信する機能と、
前記サウンディングリファレンスシグナルの送信を要求する情報が含まれ、物理上りリンク共用チャネルのスケジューリングのために用いられる第１の下りリンク制御情報フォーマットを送信する機能と、
前記情報が含まれ、物理下りリンク共用チャネルのスケジューリングのために用いられる第２の下りリンク制御情報フォーマットを送信する機能と、
前記情報を送信した場合に、前記第１のパラメータまたは前記第２のパラメータに基づいて前記サウンディングリファレンスシグナルを受信する機能と、を前記基地局装置に発揮させ、
前記第１のパラメータは、前記第１の下りリンク制御情報フォーマットに含まれる前記情報に基づく前記サウンディングリファレンスシグナルの送信に対して設定され、
前記第２のパラメータは、前記第２の下りリンク制御情報フォーマットに含まれる前記情報に基づく前記サウンディングリファレンスシグナルの送信に対して設定され、
前記第１の下りリンク制御情報フォーマットおよび前記第２の下りリンク制御情報フォーマットは、ユーザー装置スペシフィックサーチスペースにおいて送信される
ことを特徴とする集積回路。
【発明の詳細な説明】
【技術分野】
【０００１】
本発明は、基地局装置および移動局装置から構成される移動通信システムおよび通信方法に関する。
【背景技術】
【０００２】
３ＧＰＰ（3rd Generation Partnership Project）は、Ｗ−ＣＤＭＡ（Wideband-Code Division Multiple Access）と、ＧＳＭ（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」または「ＥＵＴＲＡ（Evolved Universal Terrestrial Radio Access）」とも呼称する）、および、より広帯域な周波数帯域を利用して、さらに高速なデータの送受信を実現する移動通信システム（以下、「ＬＴＥ−Ａ（Long Term Evolution-Advanced）」または「Ａｄｖａｎｃｅｄ−ＥＵＴＲＡ」とも呼称する）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multiple Access、DFT-s-OFDM with Spectrum Division Control、DFT-precoded OFDMとも呼称される）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、シングルキャリア通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。
【０００５】
また、ＬＴＥ−Ａでは、一般的な移動通信システムで使用する周波数帯域は連続であるのに対し、連続および／または不連続な複数の周波数帯域（以下、「コンポーネントキャリア（ＣＣ：Component Carrier）」または「キャリアコンポーネント（ＣＣ：Carrier Component）」とも呼称する）を複合的に使用して、１つの広帯域な周波数帯域として運用する（周波数帯域集約：Carrier aggregationとも呼称される）ことが提案されている。また、基地局装置と移動局装置が、広帯域な周波数帯域をより柔軟に使用して通信するために、下りリンクの通信に使用される周波数帯域と上りリンクの通信に使用される周波数帯域を異なる周波数帯域幅とする（非対称周波数帯域集約：Asymmetric carrier aggregation）ことも提案されている（非特許文献１）。
【０００６】
図８は、従来の技術における周波数帯域集約された移動通信システムを説明する図である。図８に示されるような下りリンク（ＤＬ：Down Link）の通信に使用される周波数帯域と上りリンク（ＵＬ：Up Link）の通信に使用される周波数帯域を同じ帯域幅とすることは、対称周波数帯域集約（Symmetric carrier aggregation）とも呼称される。図８に示すように、基地局装置と移動局装置は、連続および／または不連続な周波数帯域である複数のコンポーネントキャリアを複合的に使用することによって、複数のコンポーネントキャリアによって構成される広帯域な周波数帯域で通信を行うことができる。
【０００７】
図８では、例として、１００ＭＨｚの帯域幅を持った下りリンクの通信に使用される周波数帯域（ＤＬシステム帯域（幅）でも良い）が、２０ＭＨｚの帯域幅を持った５つの下りリンクコンポーネントキャリア（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用される周波数帯域（ＵＬシステム帯域（幅）でも良い）が、２０ＭＨｚの帯域幅を持った５つの上りリンクコンポーネントキャリア（ＵＣＣ１：Uplink Component Carrier１、ＵＣＣ２、ＵＣＣ３、ＵＣＣ４、ＵＣＣ５）によって構成されていることを示している。
【０００８】
図８において、下りリンクコンポーネントキャリアそれぞれには、物理下りリンク制御チャネル（以下、ＰＤＣＣＨ：Physical Downlink Control Channel）、物理下りリンク共用チャネル（以下、ＰＤＳＣＨ：Physical Downlink Shared Channel）等の下りリンクのチャネルが配置される。
【０００９】
基地局装置は、ＰＤＳＣＨを使用して送信される下りリンクトランスポートブロックを送信するための下りリンク制御情報（ＤＣＩ：Downlink Control Information）を、ＰＤＣＣＨを使用して移動局装置へ割り当て（スケジュールし）、ＰＤＳＣＨを使用して、下りリンクトランスポートブロックを移動局装置へ送信する。ここで、図８において、基地局装置は、同一サブフレームで、最大５つまでの下りリンクトランスポートブロック（ＰＤＳＣＨでも良い）を移動局装置へ送信することができる。
【００１０】
また、上りリンクコンポーネントキャリアそれぞれには、物理上りリンク制御チャネル（以下、ＰＵＣＣＨ：Physical Uplink Control Channel）、物理上りリンク共用チャネル（以下、ＰＵＳＣＨ：Physical Uplink Shared Channel）等の上りリンクのチャネルが配置される。
【００１１】
移動局装置は、ＰＵＣＣＨおよび／またはＰＵＳＣＨを使用して、下りリンクのチャネル状態を示すチャネル状態情報（ＣＳＩ：Channel Statement information）や、下りリンクトランスポートブロックに対するＨＡＲＱにおけるＡＣＫ／ＮＡＣＫ（肯定応答：Positive Acknowledgement／否定応答：Negative Acknowledgement）を示す情報や、スケジューリング要求（ＳＲ：Scheduling Request）などの上りリンク制御情報（ＵＣＩ：Uplink Control Information）を基地局装置へ送信する。ここで、図８において、移動局装置は、同一サブフレームで、最大５つまでの上りリンクトランスポートブロック（ＰＵＳＣＨでも良い）を基地局装置へ送信することができる。
【００１２】
同様に、図９は、従来の技術における非対称周波数帯域集約された移動通信システムを説明する図である。図９に示すように、基地局装置と移動局装置は、下りリンクの通信に使用される周波数帯域と上りリンクの通信に使用される周波数帯域とを異なる帯域幅とし、これらの周波数帯域を構成する連続および／または不連続な周波数帯域であるコンポーネントキャリアを複合的に使用して広帯域な周波数帯域で通信を行うことができる。
【００１３】
図９では、例として、１００ＭＨｚの帯域幅を持った下りリンクの通信に使用される周波数帯域が、２０ＭＨｚの帯域幅を持った５つの下りリンクコンポーネントキャリア（ＤＣＣ１、ＤＣＣ２、ＤＣＣ３、ＤＣＣ４、ＤＣＣ５）によって構成されている。また、例として、４０ＭＨｚの帯域幅を持った上りリンクの通信に使用される周波数帯域が、２０ＭＨｚの帯域幅を持った２つの上りリンクコンポーネントキャリア（ＵＣＣ１、ＵＣＣ２）によって構成されていることを示している。
【００１４】
図９において、下りリンク／上りリンクのコンポーネントキャリアそれぞれには下りリンク／上りリンクのチャネルが配置され、基地局装置は、ＰＤＣＣＨを使用してＰＤＳＣＨを移動局装置へ割り当て（スケジュールし）、ＰＤＳＣＨを使用して下りリンクトランスポートブロックを移動局装置へ送信する。ここで、図９において、基地局装置は、同一サブフレームで、最大５つまでの下りリンクトランスポートブロック（ＰＤＳＣＨでも良い）を移動局装置へ送信することができる。
【００１５】
また、移動局装置は、ＰＵＣＣＨおよび／またはＰＵＳＣＨを使用して、チャネル状態情報や、下りリンクトランスポートブロックに対するＨＡＲＱにおけるＡＣＫ／ＮＡＣＫを示す情報や、スケジューリング要求などの上りリンク制御情報を基地局装置へ送信する。ここで、図９において、移動局装置は、同一サブフレームで、最大２つまでの上りリンクトランスポートブロック（ＰＵＳＣＨでも良い）を基地局装置へ送信することができる。
【００１６】
さらに、ＬＴＥ−Ａでは、基地局装置が、上りリンクのチャネルを測定するために、移動局装置が、参照信号（以下、サウンディングリファレンスシグナル、ＳＲＳ：Sounding Reference Signalとも呼称する）を、上りリンクを使用して基地局装置へ送信することが検討されている。基地局装置は、移動局装置から送信されるＳＲＳに基づいて、移動局装置をスケジューリングし、例えば、ＰＵＳＣＨリソースの割り当てやＰＵＳＣＨに施すべき変調方式、符号化率の決定などを行う。
【００１７】
移動局装置によるＳＲＳの送信に関しては、基地局装置が、移動局装置に対して、周期的なＳＲＳ（以下、Ｐ−ＳＲＳ：Periodic SRSとも呼称する）の送信に加えて、非周期的なＳＲＳ（以下、Ａ−ＳＲＳ：Aperiodic SRS、Dynamic SRS、Scheduled SRSとも呼称する）の送信を指示（要求、トリガ）することが検討されている。例えば、基地局装置は、移動局装置に対して、下りリンクに対する下りリンク制御情報フォーマット（ＤＣＩフォーマット、ダウンリンクグラント：Downlink grant、ダウンリンクアサインメント：Downlink assignmentとも呼称する）を使用して、Ａ−ＳＲＳの送信を指示することが提案されている（非特許文献２）。また、例えば、基地局装置は、移動局装置に対して、上りリンクに対する下りリンク制御情報フォーマット（ＤＣＩフォーマット、アップリンクグラント：UL grant、アップリンクアサインメント：Uplink assignmentとも呼称する）を使用して、Ａ−ＳＲＳの送信を指示することが提案されている（非特許文献３）。
【先行技術文献】
【非特許文献】
【００１８】
【非特許文献１】"Carrier aggregation in LTE-Advanced", 3GPP TSG RAN WG1 Meeting #53bis, R1-082464, June 30-July 4, 2008.
【非特許文献２】"Aperiodic SRS for LTE-A", 3GPP TSG RAN WG1 Meeting #60bis, R1-102114, April 12-16, 2010.
【非特許文献３】"Further Details on SRS for Release 10", 3GPP TSG RAN WG1 Meeting #60bis, R1-0101746, April 12-16, 2010.
【発明の概要】
【発明が解決しようとする課題】
【００１９】
しかしながら、従来の技術では、基地局装置が、複数の下りリンク制御フォーマット（以下、ＤＣＩフォーマット）を、同一サブフレームで、移動局装置へ通知した際に、移動局装置が、Ａ−ＳＲＳを基地局装置へ送信するための送信方法が明確化されていなかった。また、基地局装置が、複数のＤＣＩフォーマットを、ある特定の期間において、移動局装置へ通知した際に、移動局装置が、Ａ−ＳＲＳを送信するための送信方法が明確化されていなかった。ここで、ある特定の期間とは、例えば、移動局装置が、ＳＲＳを基地局装置へ送信した次のサブフレームから、再度、ＳＲＳを基地局装置へ送信するサブフレームまでの期間を示している。
【００２０】
すなわち、従来の技術では、基地局装置が、複数のＤＣＩフォーマットを、同一サブフレームで、および／または、ある特定の期間において、移動局装置へ通知した際の、移動局装置によるＡ−ＳＲＳの送信方法が明確化されていないために、移動局装置が、Ａ−ＳＲＳを基地局装置へ送信するかどうかが分からなかった。例えば、基地局装置が、Ａ−ＳＲＳの送信指示を含んだＤＣＩフォーマットとＡ−ＳＲＳの送信を指示しないＤＣＩフォーマットを、同一サブフレームで、および／または、ある特定の期間において、移動局装置へ通知した際に、移動局装置が、Ａ−ＳＲＳを基地局装置へ送信するかどうかが分からなかった。
【００２１】
すなわち、基地局装置が、複数のＤＣＩフォーマットを、同一サブフレームで、および／または、ある特定の期間において、移動局装置へ通知した際に、移動局装置が、Ａ−ＳＲＳが送信するかどうかが分からないために、基地局装置によって、効率的なスケジューリングを行えないという問題があった。
【００２２】
本発明は、このような事情に鑑みてなされたものであり、基地局装置が、複数のＤＣＩフォーマットを、同一サブフレームで、および／または、ある特定の期間において、移動局装置へ通知した際に、基地局装置によって、効率的なスケジューリングを行うことができる移動通信システムおよび通信方法を提供する。
【課題を解決するための手段】
【００２３】
（１）上記の目的を達成するために、本発明は、以下のような手段を講じた。すなわち、本発明の移動局装置は、サウンディングリファレンスシグナルを基地局装置へ送信する移動局装置であって、第１のパラメータおよび第２のパラメータが含まれる上位層の信号を受信する手段と、前記サウンディングリファレンスシグナルの送信を要求する情報が含まれ、物理上りリンク共用チャネルのスケジューリングのために用いられる第１の下りリンク制御情報フォーマットを受信する手段と、前記情報が含まれ、物理下りリンク共用チャネルのスケジューリングのために用いられる第２の下りリンク制御情報フォーマットを受信する手段と、前記情報を検出した場合に、前記第１のパラメータまたは前記第２のパラメータに基づいて前記サウンディングリファレンスシグナルを送信する手段と、を備え、前記第１のパラメータは、前記第１の下りリンク制御情報フォーマットに含まれる前記情報の検出に基づく前記サウンディングリファレンスシグナルの送信に対して設定され、前記第２のパラメータは、前記第２の下りリンク制御情報フォーマットに含まれる前記情報の検出に基づく前記サウンディングリファレンスシグナルの送信に対して設定され、前記第１の下りリンク制御情報フォーマットおよび前記第２の下りリンク制御情報フォーマットは、ユーザー装置スペシフィックサーチスペースにおいて受信されることを特徴としている。
【００２４】
（２）また、基地局装置は、サウンディングリファレンスシグナルを移動局装置から受信する基地局装置であって、第１のパラメータおよび第２のパラメータが含まれる上位層の信号を送信する手段と、前記サウンディングリファレンスシグナルの送信を要求する情報が含まれ、物理上りリンク共用チャネルのスケジューリングのために用いられる第１の下りリンク制御情報フォーマットを送信する手段と、前記情報が含まれ、物理下りリンク共用チャネルのスケジューリングのために用いられる第２の下りリンク制御情報フォーマットを送信する手段と、前記情報を送信した場合に、前記第１のパラメータまたは前記第２のパラメータに基づいて前記サウンディングリファレンスシグナルを受信する手段と、を備え、前記第１のパラメータは、前記第１の下りリンク制御情報フォーマットに含まれる前記情報に基づく前記サウンディングリファレンスシグナルの送信に対して設定され、前記第２のパラメータは、前記第２の下りリンク制御情報フォーマットに含まれる前記情報に基づく前記サウンディングリファレンスシグナルの送信に対して設定され、前記第１の下りリンク制御情報フォーマットおよび前記第２の下りリンク制御情報フォーマットは、ユーザー装置スペシフィックサーチスペースにおいて送信されることを特徴としている。
【００２５】
（３）また、通信方法は、サウンディングリファレンスシグナルを基地局装置へ送信する移動局装置の通信方法であって、第１のパラメータおよび第２のパラメータが含まれる上位層の信号を受信し、前記サウンディングリファレンスシグナルの送信を要求する情報が含まれ、物理上りリンク共用チャネルのスケジューリングのために用いられる第１の下りリンク制御情報フォーマットを受信し、前記情報が含まれ、物理下りリンク共用チャネルのスケジューリングのために用いられる第２の下りリンク制御情報フォーマットを受信し、前記情報を検出した場合に、前記第１のパラメータまたは前記第２のパラメータに基づいて前記サウンディングリファレンスシグナルを送信し、前記第１のパラメータは、前記第１の下りリンク制御情報フォーマットに含まれる前記情報の検出に基づく前記サウンディングリファレンスシグナルの送信に対して設定され、前記第２のパラメータは、前記第２の下りリンク制御情報フォーマットに含まれる前記情報の検出に基づく前記サウンディングリファレンスシグナルの送信に対して設定され、前記第１の下りリンク制御情報フォーマットおよび前記第２の下りリンク制御情報フォーマットは、ユーザー装置スペシフィックサーチスペースにおいて受信されることを特徴としている。
【００２６】
（４）また、通信方法は、サウンディングリファレンスシグナルを移動局装置から受信する基地局装置の通信方法であって、第１のパラメータおよび第２のパラメータが含まれる上位層の信号を送信し、前記サウンディングリファレンスシグナルの送信を要求する情報が含まれ、物理上りリンク共用チャネルのスケジューリングのために用いられる第１の下りリンク制御情報フォーマットを送信し、前記情報が含まれ、物理下りリンク共用チャネルのスケジューリングのために用いられる第２の下りリンク制御情報フォーマットを送信し、前記情報を送信した場合に、前記第１のパラメータまたは前記第２のパラメータに基づいて前記サウンディングリファレンスシグナルを受信し、前記第１のパラメータは、前記第１の下りリンク制御情報フォーマットに含まれる前記情報に基づく前記サウンディングリファレンスシグナルの送信に対して設定され、前記第２のパラメータは、前記第２の下りリンク制御情報フォーマットに含まれる前記情報に基づく前記サウンディングリファレンスシグナルの送信に対して設定され、前記第１の下りリンク制御情報フォーマットおよび前記第２の下りリンク制御情報フォーマットは、ユーザー装置スペシフィックサーチスペースにおいて送信されることを特徴としている。
【００２７】
（５）また、集積回路は、サウンディングリファレンスシグナルを基地局装置へ送信する移動局装置に搭載される集積回路であって、第１のパラメータおよび第２のパラメータが含まれる上位層の信号を受信する機能と、前記サウンディングリファレンスシグナルの送信を要求する情報が含まれ、物理上りリンク共用チャネルのスケジューリングのために用いられる第１の下りリンク制御情報フォーマットを受信する機能と、前記情報が含まれ、物理下りリンク共用チャネルのスケジューリングのために用いられる第２の下りリンク制御情報フォーマットを受信する機能と、前記情報を検出した場合に、前記第１のパラメータまたは前記第２のパラメータに基づいて前記サウンディングリファレンスシグナルを送信する機能と、を前記移動局装置に発揮させ、前記第１のパラメータは、前記第１の下りリンク制御情報フォーマットに含まれる前記情報の検出に基づく前記サウンディングリファレンスシグナルの送信に対して設定され、前記第２のパラメータは、前記第２の下りリンク制御情報フォーマットに含まれる前記情報の検出に基づく前記サウンディングリファレンスシグナルの送信に対して設定され、前記第１の下りリンク制御情報フォーマットおよび前記第２の下りリンク制御情報フォーマットは、ユーザー装置スペシフィックサーチスペースにおいて受信されることを特徴としている。
【００２８】
（６）また、集積回路は、サウンディングリファレンスシグナルを移動局装置から受信する基地局装置に搭載される集積回路であって、第１のパラメータおよび第２のパラメータが含まれる上位層の信号を送信する機能と、前記サウンディングリファレンスシグナルの送信を要求する情報が含まれ、物理上りリンク共用チャネルのスケジューリングのために用いられる第１の下りリンク制御情報フォーマットを送信する機能と、前記情報が含まれ、物理下りリンク共用チャネルのスケジューリングのために用いられる第２の下りリンク制御情報フォーマットを送信する機能と、前記情報を送信した場合に、前記第１のパラメータまたは前記第２のパラメータに基づいて前記サウンディングリファレンスシグナルを受信する機能と、を前記基地局装置に発揮させ、前記第１のパラメータは、前記第１の下りリンク制御情報フォーマットに含まれる前記情報に基づく前記サウンディングリファレンスシグナルの送信に対して設定され、前記第２のパラメータは、前記第２の下りリンク制御情報フォーマットに含まれる前記情報に基づく前記サウンディングリファレンスシグナルの送信に対して設定され、前記第１の下りリンク制御情報フォーマットおよび前記第２の下りリンク制御情報フォーマットは、ユーザー装置スペシフィックサーチスペースにおいて送信される
ことを特徴としている。
【発明の効果】
【００２９】
本発明によれば、基地局装置が、複数の下りリンク制御フォーマットを、同一サブフレームで、および／または、ある特定の期間において、移動局装置へ通知した際に、基地局装置によって、効率的なスケジューリングを行うことができる。
【図面の簡単な説明】
【００３０】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】本発明の実施形態が適用可能な移動通信システムの例を示す図である。
【図５】移動局装置によるＳＲＳの送信の例を示す図である。
【図６】移動局装置によるＡ−ＳＲＳの送信の例を示す図である。
【図７】移動局装置によるＡ−ＳＲＳの送信の例を示す別の図である。
【図８】従来の技術における周波数帯域集約の例を示す図である。
【図９】従来の技術における非対称周波数帯域集約の例を示す図である。
【発明を実施するための形態】
【００３１】
次に、本発明に係る実施形態について、図面を参照しながら説明する。図１は、本発明の実施形態におけるチャネルの一構成例を示す図である。下りリンクの物理チャネルは、物理下りリンク制御チャネル（ＰＤＣＣＨ：Physical Downlink Control Channel）、物理下りリンク共用チャネル（ＰＤＳＣＨ：Physical Downlink Shared Channel）によって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）によって構成される。
【００３２】
また、基地局装置は、下りリンク参照信号（ＤＲＳ:Downlink Reference Signal、下りリンクパイロット信号、下りリンクパイロットチャネルとも呼称する）を、移動局装置へ送信する。また、移動局装置は、上りリンク参照信号（ＵＲＳ:Uplink Reference Signal、上りリンクパイロット信号、上りリンクパイロットチャネルとも呼称する）を基地局装置へ送信する。ここで、上りリンク参照信号には、基地局装置が、主に、ＰＵＣＣＨおよび／またはＰＵＳＣＨを復調するために使用する復調参照信号（ＤＲＳ：Demodulation Reference Signal）が含まれる。また、上りリンク参照信号には、基地局装置が、主に、上りリンクのチャネル状態を推定するために使用するサウンディング参照信号（ＳＲＳ：Sounding Reference Signal）が含まれる。
【００３３】
ＰＤＣＣＨは、ＰＤＳＣＨのリソース割り当て、下りリンクデータに対するＨＡＲＱ処理情報、および、ＰＵＳＣＨのリソース割り当てなどを、移動局装置に通知（指定）するために使用されるチャネルである。ＰＤＤＣＨは、複数の制御チャネル要素（ＣＣＥ：Control Channel Element）から構成され、移動局装置は、ＣＣＥから構成されるＰＤＣＣＨを検出することによって、基地局装置からのＰＤＣＣＨを受信する。このＣＣＥは、周波数、時間領域において分散している複数のリソースエレメントグループ（ＲＥＧ：Resource Element Group、mini-CCEとも呼ばれる）によって構成される。ここで、リソースエレメントとは、１ＯＦＤＭシンボル（時間成分）、１サブキャリア（周波数成分）で構成される単位リソースである。
【００３４】
また、ＰＤＣＣＨによって送信される下りリンク制御情報（ＤＣＩ：Downlink Control Information）には、複数のフォーマットが定義される。以下、下りリンク制御情報のフォーマットを、ＤＣＩフォーマット（DCI format）とも呼称する。
【００３５】
例えば、下りリンクに対するＤＣＩフォーマットとしては、基地局装置が、ＰＤＳＣＨを１つの送信アンテナポート、または、複数の送信アンテナポートを使用して送信ダイバーシチ方式で送信する際に用いられるＤＣＩフォーマット１／１Ａが定義される。また、例えば、下りリンクに対するＤＣＩフォーマットとしては、基地局装置が、ＰＤＳＣＨを、ＭＩＭＯ（Multiple Input Multiple Output）を利用したＳＭ（空間多重：Spatial Multiplexing）で送信する際に用いられるＤＣＩフォーマット２が定義される。ここで、ＤＣＩフォーマットは、同じビット数を持った複数のＤＣＩフォーマット、異なるビット数を持った複数のＤＣＩフォーマットを定義することができる。
【００３６】
また、例えば、上りリンクに対するＤＣＩフォーマットとしては、移動局装置が、ＰＵＳＣＨを１つの送信アンテナポートで送信する際に用いられるＤＣＩフォーマット０が定義される。また、例えば、上りリンクスケジューリングに対するＤＣＩフォーマットとしては、移動局装置が、ＰＵＳＣＨを、ＭＩＭＯを利用したＳＭで送信する際に用いられるＤＣＩフォーマット０Ａが用意される。
【００３７】
また、例えば、ＤＣＩフォーマットとして、複数の移動局装置に対するグループスケジューリングに使用されるＤＣＩフォーマットが定義される。例えば、ＤＣＩフォーマットとして、複数の移動局装置に対する複数のＴＰＣコマンド（Transmission Power Control Command）を含むＤＣＩフォーマット３／３Ａが定義される。例えば、基地局装置は、識別子と１つのインデックスを移動局装置へ通知し、移動局装置は、基地局装置から通知された識別子によって識別されるＤＣＩフォーマット３／３Ａに含まれるインデックスに対応するＴＰＣコマンドを、自装置宛のＴＰＣコマンドとして認識する。
【００３８】
ここで、基地局装置は、ＤＣＩフォーマット３／３Ａを使用して移動局装置へ通知するＴＰＣコマンドが、ＰＵＣＣＨに対するＴＰＣコマンドなのか、または、ＰＵＳＣＨ（ＰＵＳＣＨとＳＲＳでも良い）に対するコマンドなのか、を識別するために、２つの識別子を移動局装置へ通知することもできる。すなわち、基地局装置は、移動局装置に対して、２つの識別子それぞれにつき１つのインデックスを通知することができる。ここで、基地局装置によって通知される２つの識別子のうち、ＰＵＣＣＨに対するＴＰＣコマンドが含まれるＤＣＩフォーマットに施される識別子を、ＴＰＣ−ＰＵＣＣＨ−ＲＮＴＩとも呼称する。また、ＰＵＳＣＨ（ＰＵＳＣＨとＳＲＳでも良い）に対するＴＰＣコマンドが含まれるＤＣＩフォーマットに施される識別子をＴＰＣ−ＰＵＳＣＨ−ＲＮＴＩとも呼称する。
【００３９】
また、複数の移動局装置に対するグループスケジューリングに使用されるＤＣＩフォーマット３／３Ａは、複数の移動局装置によって受信される（検出される）必要があるために、全ての移動局装置がＰＤＣＣＨの検索（検出）を試みる共通検索領域（ＣＳＳ：Common Search Spaceとも呼称する）に配置される。ここで、ある（特定の）移動局装置宛てのＰＤＣＣＨは、ある（特定の）移動局装置がＰＤＣＣＨの検索（検出）を試みる移動局装置固有検索領域（ＵＳＳ：User equipment specific Search Space、UE specific Search Spaceとも呼称する）に配置される。
【００４０】
基地局装置は、ＤＣＩを基に生成した巡回冗長検査（ＣＲＣ：Cyclic Redundancy Check）符号を、ＲＮＴＩ（Radio Network Temporary Identity）でスクランブル（scramble）した系列をＤＣＩに付与して、移動局装置へ送信する。移動局装置は、巡回冗長検査符号がいずれのＲＮＴＩでスクランブルされているかに応じて、ＤＣＩの解釈を変更する。例えば、移動局装置は、ＤＣＩが、基地局装置から割り当てられたＣ−ＲＮＴＩ（Cell-Radio Network Temporary Identity）によって巡回冗長検査符号がスクランブルされていた場合には、そのＤＣＩを、自装置宛のＤＣＩだと判断する。
【００４１】
ＰＤＣＣＨは、移動局装置ごと、種別ごとに別々に符号化（Separate Coding）される。すなわち、移動局装置は、複数のＰＤＣＣＨを検出して、下りリンクのリソース割り当てや、上りリンクのリソース割り当てや、その他の制御情報を取得する。各ＰＤＣＣＨには、そのフォーマットを識別可能なＣＲＣ（巡回冗長検査）の値が付与されており、移動局装置は、ＰＤＣＣＨが構成される可能性のあるＣＣＥのセットのそれぞれに対してＣＲＣを行い、ＣＲＣが成功したＰＤＣＣＨを、自装置宛のＰＤＣＣＨとして取得する。これは、ブラインドデコーディング（blind decoding）とも呼称され、移動局装置が、ブラインドデコーディングを行うＰＤＣＣＨが構成される可能性のあるＣＣＥのセットの範囲は、検索領域（Search Space）と呼称される。すなわち、移動局装置は、検索領域内のＣＣＥに対して、ブラインドデコーディングを行い、自装置宛のＰＤＣＣＨの検出を行う。
【００４２】
移動局装置は、自装置宛のＰＤＣＣＨに、ＰＤＳＣＨのリソース割り当てが含まれる場合、基地局装置からのＰＤＣＣＨによって指示されたリソース割り当てに応じて、ＰＤＳＣＨを使用して、下りリンク信号（下りリンクデータ（下りリンク共用チャネル（ＤＬ−ＳＣＨ）に対するトランスポートブロック）および／または下りリンク制御データ（下りリンク制御情報）および／または下りリンク参照信号（ＤＲＳ））を受信する。すなわち、このＰＤＣＣＨは、下りリンクに対するリソース割り当てを行なう信号（以下、「下りリンク送信許可信号」、「下りリンクグラント」とも呼称する）とも言える。
【００４３】
また、移動局装置は、自装置宛のＰＤＣＣＨに、ＰＵＳＣＨのリソース割り当てが含まれる場合、基地局装置からのＰＤＣＣＨによって指示されたリソース割り当てに応じて、ＰＵＳＣＨを使用して、上りリンク信号（上りリンクデータ（上りリンク共用チャネル（ＵＬ−ＳＣＨ）に対するトランスポートブロック）および／または上りリンク制御データ（上りリンク制御情報）および／または上りリンク参照信号（ＵＲＳ））を送信する。すなわち、このＰＤＣＣＨは、上りリンクに対するデータ送信を許可する信号（以下、「上りリンク送信許可信号」、「上りリンクグラント」とも呼称する）とも言える。
【００４４】
ＰＤＳＣＨは、下りリンクデータ（下りリンク共用チャネル（ＤＬ−ＳＣＨ）に対するトランスポートブロック）またはページング情報（ページングチャネル：ＰＣＨ）を送信するために使用されるチャネルである。基地局装置は、ＰＤＣＣＨによって割り当てたＰＤＳＣＨを使用して、下りリンクトランスポートブロック（下りリンク共用チャネル（ＤＬ−ＳＣＨ）に対するトランスポートブロック）を移動局装置へ送信する。
【００４５】
ここで、下りリンクデータとは、例えば、ユーザーデータを示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００４６】
ＰＵＳＣＨは、主に、上りリンクデータ（上りリンク共用チャネル（ＵＬ−ＳＣＨ）に対するトランスポートブロック）を送信するために使用されるチャネルである。移動局装置は、基地局装置から送信されたＰＤＣＣＨによって割り当てられたＰＵＳＣＨを使用して、上りリンクトランスポートブロック（上りリンク共用チャネル（ＵＬ−ＳＣＨ）に対するトランスポートブロック）を基地局装置へ送信する。また、基地局装置が、移動局装置をスケジューリングした場合には、上りリンク制御情報（ＵＣＩ）もＰＵＳＣＨを使用して送信される。
【００４７】
ここで、上りリンクデータとは、例えば、ユーザーデータを示しており、ＵＬ−ＳＣＨは、トランスポートチャネルである。また、ＰＵＳＣＨは、時間領域、周波数領域によって定義される（構成される）物理チャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００４８】
ここで、上りリンクデータ（ＵＬ−ＳＣＨ）および下りリンクデータ（ＤＬ−ＳＣＨ）には、基地局装置と移動局装置の間でやり取りされる無線資源制御信号（以下、「ＲＲＣシグナリング：Radio Resource Control Signaling」と呼称する）が含まれていても良い。また、上りリンクデータ（ＵＬ−ＳＣＨ）および下りリンクデータ（ＤＬ−ＳＣＨ）には、基地局装置と移動局装置の間でやり取りされるＭＡＣ（Medium Access Control）コントロールエレメントが含まれていても良い。
【００４９】
基地局装置と移動局装置は、ＲＲＣシグナリングを上位層（無線リソース制御（Radio Resource Control）層）において送受信する。また、基地局装置と移動局装置は、ＭＡＣコントロールエレメントを上位層（媒体アクセス制御（ＭＡＣ：Medium Access Control）層）において送受信する。
【００５０】
ＰＵＣＣＨは、上りリンク制御情報（ＵＣＩ）を送信するために使用されるチャネルである。ここで、上りリンク制御情報には、チャネル状態情報（ＣＳＩ）や、チャネル品質識別子（ＣＱＩ）や、プレコーディングマトリックス識別子（ＰＭＩ）や、ランク識別子（ＲＩ）が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置が上りリンクデータを送信するためのリソースの割り当てを要求する（ＵＬ−ＳＣＨでの送信を要求する）スケジューリング要求が含まれる。
【００５１】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００５２】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５３】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５４】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００５５】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５６】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００５７】
スケジューリング部１０４は、下りリンクのスケジューリングでは、移動局装置２００から受信した上りリンク信号（ＣＳＩ、ＣＱＩ、ＰＭＩ、ＲＩや、下りリンクトランスポートブロックに対するＡＣＫ／ＮＡＣＫを示す情報や、スケジューリング要求や、参照信号など）や、各移動局装置の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００５８】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００５９】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６０】
チャネル推定部１０５は、上りリンクデータの復調のために、復調参照信号（ＤＲＳ：Demodulation Reference Signal）から上りリンクのチャネル状態を推定し、その推定結果を受信データ復調部１０６に出力する。また、上りリンクのスケジューリングを行なうために、サウンディング参照信号（ＳＲＳ：Sounding Reference Signal）から上りリンクのチャネル状態を推定し、その推定結果をスケジューリング部１０４に出力する。
【００６１】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６２】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報や、スケジューリング要求などが含まれている。
【００６３】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６４】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００６５】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００６６】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００６７】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００６８】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００６９】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７０】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７１】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７２】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７３】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７４】
チャネル推定部２０５は、下りリンクデータの復調のために、復調参照信号から下りリンクのチャネル状態を推定し、その推定結果を受信データ復調部２０６に出力する。また、チャネル推定部２０５は、基地局装置１００に下りリンクのチャネル状態（無線伝搬路状態、ＣＳＩ、ＣＱＩ、ＰＭＩ、ＲＩ）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０４に出力する。
【００７５】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００７６】
データ抽出部２０７は、受信データ復調部２０６から入力されたデータに対して、ＣＲＣチェックを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００７７】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７８】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００７９】
（第１の実施形態）
次に、基地局装置１００および移動局装置２００を用いた移動通信システムにおける第１の実施形態を説明する。第１の実施形態では、基地局装置は、ＳＲＳの送信指示を含むＤＣＩフォーマットを、少なくとも１つは含む複数のＤＣＩフォーマットを、同一サブフレームで、移動局装置へ通知し、移動局装置は、複数のＤＣＩフォーマットのうち、所定のＤＣＩフォーマットが、ＳＲＳの送信指示を含んでいる場合には、ＳＲＳを基地局装置へ送信する。
【００８０】
また、基地局装置は、複数のＤＣＩフォーマットを、同一サブフレームで、移動局装置へ通知し、移動局装置は、複数のＤＣＩフォーマットの全てが、ＳＲＳの送信指示を含んでいる場合には、ＳＲＳを基地局装置へ送信する。
【００８１】
この際、移動局装置は、基地局装置から複数のＤＣＩフォーマットを通知されたサブフレームの所定後のサブフレーム（例えば、４サブフレーム後のサブフレーム）で、ＳＲＳを基地局装置へ送信することができる。また、基地局装置は、移動局装置が、ＳＲＳを基地局装置へ送信するサブフレームを、セル固有に、移動局装置へ設定することができる。また、基地局装置は、移動局装置が、ＳＲＳを基地局装置へ送信するサブフレームを、移動局装置固有に、移動局装置へ設定することができる。移動局装置は、基地局装置から設定されたサブフレームで、ＳＲＳを基地局装置へ送信することができる。
【００８２】
また、基地局装置は、ＳＲＳの送信指示を含むＤＣＩフォーマットを、移動局装置固有検索領域（ＵＳＳ：UE specific Search Space）に配置することができる。また、基地局装置は、ＵＳＳに配置するＳＲＳの送信指示を含むＤＣＩフォーマットに、下りリンクスケジューリングの情報を含めて、移動局装置へ通知することができる。また、基地局装置は、ＵＳＳに配置するＳＲＳの送信指示を含むＤＣＩフォーマットに、上りリンクスケジューリングの情報を含めて、移動局装置へ通知することができる。
【００８３】
さらに、基地局装置は、ＳＲＳの送信指示を含むＤＣＩフォーマットを、共通検索領域（ＣＳＳ：Common Search Space）に配置することができる。
【００８４】
以下、本実施形態では、周波数帯域は、帯域幅（Ｈｚ）で定義されているが、周波数と時間で構成されるリソースブロック（ＲＢ）の数で定義されても良い。すなわち、帯域幅は、リソースブロックの数によって定義されても良い。また、帯域幅やリソースブロックの数は、サブキャリアの数によって定義することもできる。
【００８５】
本実施形態におけるコンポーネントキャリアとは、（広帯域な）周波数帯域（システム帯域でも良い）を持った移動通信システムにおいて、基地局装置と移動局装置が通信を行なう際に複合的に使用する（狭帯域な）周波数帯域を示している。基地局装置と移動局装置は、複数のコンポーネントキャリア（例えば、２０ＭＨｚの帯域幅を持った５つの周波数帯域）を集約することによって、（広帯域な）周波数帯域（例えば、１００ＭＨｚの帯域幅を持った周波数帯域）を構成し、これら複数のコンポーネントキャリアを複合的に使用することによって、高速なデータ通信（情報の送受信）を実現することができる。
【００８６】
コンポーネントキャリアとは、この（広帯域な）周波数帯域（例えば、１００ＭＨｚの帯域幅を持った周波数帯域）を構成する（狭帯域な）周波数帯域（例えば、２０ＭＨｚの帯域幅を持った周波数帯域）それぞれのことを示している。また、コンポーネントキャリアとは、この（狭帯域な）周波数帯域それぞれの（中心）キャリア周波数を示していても良い。
【００８７】
すなわち、下りリンクコンポーネントキャリアは、基地局装置と移動局装置が、下りリンクの情報を送受信する際に使用可能な周波数帯域の中の一部の帯域（幅）を有し、上りリンクコンポーネントキャリアは、基地局装置と移動局装置が、上りリンクの情報を送受信する際に使用可能な周波数帯域の中の一部の帯域（幅）を有している。さらに、コンポーネントキャリアは、ある特定の物理チャネル（例えば、ＰＤＣＣＨやＰＵＣＣＨなど）が構成される単位として定義されてもよい。
【００８８】
また、コンポーネントキャリアは、連続な周波数帯域に配置されていても、不連続な周波数帯域に配置されていてもよく、基地局装置と移動局装置は、連続および／または不連続な周波数帯域である複数のコンポーネントキャリアを集約することによって、広帯域な周波数帯域を構成し、これら複数のコンポーネントキャリアを複合的に使用することによって、高速なデータ通信（情報の送受信）を実現することができる。
【００８９】
さらに、コンポーネントキャリアによって構成される下りリンクの通信に使用される周波数帯域と上りリンクの通信に使用される周波数帯域は、同じ帯域幅である必要はなく、基地局装置と移動局装置は、コンポーネントキャリアによって構成される異なる帯域幅を持った下りリンクの周波数帯域、上りリンクの周波数帯域を複合的に使用して通信を行なうことができる（上述した非対称周波数帯域集約：Asymmetric carrier aggregation）。
【００９０】
図４は、第１の実施形態が適用可能な移動通信システムの例を示す図である。図４では、例として、図９に示したような非対称周波数帯域集約された移動通信システムを示しているが、第１の実施形態は、対称周波数帯域集約および非対称周波数帯域集約されたいずれの移動通信システムにでも適用可能である。
【００９１】
図４は、例として、１００ＭＨｚの帯域幅を持った下りリンクの通信に使用される周波数帯域が、２０ＭＨｚの帯域幅を持った５つの下りリンクコンポーネントキャリア（ＤＣＣ１、ＤＣＣ２、ＤＣＣ３、ＤＣＣ４、ＤＣＣ５）によって構成されていることを示している。また、４０ＭＨｚの帯域幅を持った上りリンクの通信に使用される周波数帯域が、２０ＭＨｚの帯域幅を持った２つの上りリンクコンポーネントキャリア（ＵＣＣ１、ＵＣＣ２）によって構成されていることを示している。
【００９２】
図４において、下りリンク／上りリンクのコンポーネントキャリアそれぞれには下りリンク／上りリンクのチャネルが配置され、基地局装置は、ＰＤＣＣＨを使用してＰＤＳＣＨを移動局装置へ割り当て（スケジュールし）、ＰＤＳＣＨを使用して下りリンクトランスポートブロックを移動局装置へ送信する。ここで、図４において、基地局装置は、同一サブフレームで、最大５つまでの下りリンクトランスポートブロック（ＰＤＳＣＨでも良い）を移動局装置へ送信することができる。
【００９３】
また、移動局装置は、ＰＵＣＣＨおよび／またはＰＵＳＣＨを使用して、チャネル状態情報や、下りリンクトランスポートブロックに対するＨＡＲＱにおけるＡＣＫ／ＮＡＣＫを示す情報や、スケジューリング要求などの上りリンク制御情報を基地局装置へ送信する。また、移動局装置は、基地局装置からのＰＤＣＣＨによって割り当てられた（スケジュールされた）、ＰＵＳＣＨを使用して上りリンクトランスポートブロックを基地局装置へ送信することができる。ここで、図４において、移動局装置は、同一サブフレームで、最大２つまでの上りリンクトランスポートブロック（ＰＵＳＣＨでも良い）を基地局装置へ送信することができる。
【００９４】
図４において、基地局装置は、移動局装置に対して、周期的なＳＲＳ（Ｐ−ＳＲＳ：Periodic SRS）の送信を指示することができる。例えば、基地局装置は、移動局装置が、Ｐ−ＳＲＳを送信する際のインターバル（送信周期）を示す情報を、移動局装置毎に送信するＲＲＣシグナリングに含めて移動局装置へ送信することによって、移動局装置に対して、Ｐ−ＳＲＳの送信を指示することができる。
【００９５】
基地局装置によってＰ−ＳＲＳの送信が指示された移動局装置は、周期的にＰ−ＳＲＳを基地局装置へ送信する。例えば、移動局装置は、基地局装置によって設定されたインターバルに従って、Ｐ−ＳＲＳを基地局装置へ送信する。
【００９６】
また、図４において、基地局装置は、移動局装置に対して、非周期的なＳＲＳ（Ａ−ＳＲＳ：Aperiodic SRS）の送信を指示することができる。例えば、基地局装置は、下りリンク制御情報フォーマット（ＤＣＩフォーマット、ＰＤＣＣＨでも良い）に、Ａ−ＳＲＳの送信指示を含めて移動局装置へ送信することによって、移動局装置に対して、Ａ−ＳＲＳの送信を指示することができる。
【００９７】
例えば、基地局装置は、下りリンクに対するＤＣＩフォーマット（ダウンリンクグラント、ダウンリンクアサインメントとも呼称する）に、Ａ−ＳＲＳの送信指示を含めて送信することによって、移動局装置に対して、Ａ−ＳＲＳの送信を指示することができる。すなわち、基地局装置は上述したようなＤＣＩフォーマット１／１Ａ（ＤＣＩフォーマット１／１Ａと同様のＤＣＩフォーマットでも良い）を使用して、移動局装置に対して、Ａ−ＳＲＳの送信を指示することができる。また、基地局装置は上述したようなＤＣＩフォーマット２（ＤＣＩフォーマット２と同様のＤＣＩフォーマットでも良い）を使用して、移動局装置に対して、Ａ−ＳＲＳの送信を指示することができる。
【００９８】
以下、簡単のために、この下りリンクに対するＤＣＩフォーマット（ＤＣＩフォーマット１／１Ａ、ＤＣＩフォーマット１／１Ａと同様のＤＣＩフォーマット、ＤＣＩフォーマット２、ＤＣＩフォーマット２と同様のＤＣＩフォーマット、でも良い）を、ＤＣＩフォーマットＡと呼称する。
【００９９】
ここで、例えば、ＤＣＩフォーマットＡは、基地局装置が、ＰＤＳＣＨをスケジューリングする際に使用される。すなわち、ＤＣＩフォーマットＡは、基地局装置が、ＰＤＳＣＨを１つの送信アンテナポートで送信する際に使用される。また、ＤＣＩフォーマットＡは、基地局装置が、ＰＤＳＣＨを２つの送信アンテナポートで送信する際に使用される。また、ＤＣＩフォーマットＡは、基地局装置が、ランダムアクセスプロシージャ（random access procedure）に関する指示を行う際に使用される。
【０１００】
例えば、ＤＣＩフォーマットＡで送信される情報には、リソース割り当てタイプを示すリソース割り当てヘッダ情報（Resource allocation header）、ＰＤＳＣＨに対するリソース割り当て情報（Resource block assignment）、変調方式や符号化率を示すＭＣＳ情報（Modulation and Coding Scheme）、ＨＡＲＱのプロセスナンバーを示す情報（HARQ process number）、送信データが新データかどうかを識別するための情報（New data indicator）、再送用のパラメータを示す情報（Redundancy version）、ＰＵＣＣＨに対するＴＰＣコマンド情報（TPC command for PUCCH）が含まれる。
【０１０１】
また、例えば、ＤＣＩフォーマットＡで送信される情報には、他のＤＣＩフォーマットとの識別に使用される情報（Flag for format differentiation）、バーチャルリソースブロックの割り当て方法の識別に使用される情報（Localized/Distributed VRB assignment flag）、ランダムアクセスプロシージャに関する指示に使用される情報（Preamble Index、PRACH Mask Index）、パディングビット（Padding bit）が含まれる。
【０１０２】
すなわち、これらの情報（情報ビット）がマップされる情報フィールドが、ＤＣＩフォーマットＡに定義される。すなわち、ＤＣＩフォーマットＡには、下りリンクスケジューリング情報が含まれる。ここで、ＤＣＩフォーマットＡは、ある（特定の）移動局装置に対する下りリンクに対する情報が含まれる。すなわち、ＤＣＩフォーマットＡは、基地局装置によって、移動局装置固有検索領域（ＵＳＳ：UE specific Search Space）に配置される。
【０１０３】
基地局装置は、ＤＣＩフォーマットＡに、Ａ−ＳＲＳの送信指示を含めて移動局装置へ送信し、移動局装置に対して、Ａ−ＳＲＳの送信を指示することができる。ここで、Ａ−ＳＲＳの送信指示は、例えば、ＤＣＩフォーマットＡにＡ−ＳＲＳの送信指示に対する情報フィールド（例えば、１ビットの情報フィールド）を定義することによって、実現することができる。
【０１０４】
また、Ａ−ＳＲＳの送信指示は、上述したようなＤＣＩフォーマットＡに含まれる情報フィールド（情報）の中の、ある特定の情報フィールド（情報）をある特定の値にセットすることによって、実現することができる。例えば、Ａ−ＳＲＳの送信指示は、ＤＣＩフォーマットＡに含まれるFlag for format differentiationを“０”に、Localized/Distributed VRB assignment flagを“１”にセットすることによって、実現することができる。また、この際、ＤＣＩフォーマットＡに含まれる残りの情報フィールド（ある特定の情報フィールド以外の情報フィールド）を、移動局装置が、Ａ−ＳＲＳを送信するための情報フィールド（移動局装置が、Ａ−ＳＲＳを送信する際に使用するＡ−ＳＲＳパラメータがマップされる情報フィールド）として使用することもできる。
【０１０５】
ここで、ＤＣＩフォーマットＡに含まれるどの情報フィールド（どの情報）をどの値にセットした際に、Ａ−ＳＲＳの送信指示を示すのかは、仕様等によって事前に定義され、基地局装置と移動局装置の間で、既知とすることができる。このように、ＤＣＩフォーマットに含まれるある特定の情報フィールド（情報）をある特定の値にセットすることによって、（本来の用途（例えば、下りリンクスケジューリング）とは異なる）ある用途に用いること（例えば、Ａ−ＳＲＳの送信指示に用いること）は、ＤＣＩフォーマットにコードポイント（Code point）をセットするとも呼称される。
【０１０６】
移動局装置は、事前に定義された情報フィールドがある特定の値にセットされているかどうかに応じて、そのＤＣＩフォーマットが、例えば、下りリンクスケジューリングを指示しているのか、Ａ−ＳＲＳの送信を指示しているのかを認識する。また、移動局装置は、事前に定義された情報フィールドがある特定の値にセットされているかどうかに応じて、ＤＣＩフォーマットに含まれる情報フィールドの解釈を変更する。例えば、移動局装置は、事前に定義された情報フィールドがある特定の値にセットされている場合には、残りの情報フィールドを、Ａ−ＳＲＳを送信するためのＡ−ＳＲＳパラメータがマップされる情報フィールドへ、解釈を変更することができる。
【０１０７】
すなわち、基地局装置は、ＤＣＩフォーマットＡに、Ａ−ＳＲＳの送信指示を明示的に含めて移動局装置へ送信し（例えば、Ａ−ＳＲＳの送信を指示する１ビットの情報を移動局装置へ送信し）、移動局装置に対して、Ａ−ＳＲＳの送信を指示することができる。また、基地局装置は、ＤＣＩフォーマットＡに含まれるある特定の情報フィールドをある特定の値にセットすることによって、Ａ−ＳＲＳの送信指示を移動局装置へ送信し、移動局装置に対して、Ａ−ＳＲＳの送信を指示することができる。
【０１０８】
また、例えば、基地局装置は、上りリンクに対するＤＣＩフォーマット（アップリンクグラント、アップリンクアサインメントとも呼称する）に、Ａ−ＳＲＳの送信指示を含めて送信することによって、移動局装置に対して、Ａ−ＳＲＳの送信を指示することができる。すなわち、基地局装置は上述したようなＤＣＩフォーマット０／０Ａ（ＤＣＩフォーマット０／０Ａと同様のＤＣＩフォーマットでも良い）を使用して、移動局装置に対して、Ａ−ＳＲＳの送信を指示することができる。
【０１０９】
以下、簡単のために、この上りリンクに対するＤＣＩフォーマット（ＤＣＩフォーマット０／０Ａ、ＤＣＩフォーマット０／０Ａと同様のＤＣＩフォーマットでも良い）を、ＤＣＩフォーマットＢと呼称する。
【０１１０】
ここで、例えば、ＤＣＩフォーマットＢは、基地局装置が、ＰＵＳＣＨをスケジューリングする際に使用される。すなわち、ＤＣＩフォーマットＢは、移動局装置が、１つの送信アンテナポートでＰＵＳＣＨを送信する際に使用される。また、ＤＣＩフォーマットＢは、移動局装置が、２つの送信アンテナポートでＰＵＳＣＨを送信する際に使用される。
【０１１１】
例えば、ＤＣＩフォーマットＢで送信される情報には、他のＤＣＩフォーマットとの識別に使用される情報（Flag for format differentiation）、ホッピングを伴う送信を指示する情報（Hopping flag）、ＰＵＳＣＨに対するリソース割り当て情報（Resource block assignment）、変調方式や符号化率、再送用のパラメータを示す情報（Modulation and Coding Scheme and Redundancy version）、送信データが新データかどうかを識別するための情報（New data indicator）、スケジュールされたＰＵＳＣＨに対するＴＰＣコマンド（TPC command for scheduled PUSCH）情報、復調参照信号に施されるサイクリックシフトを示す情報（Cyclic shift for DM RS）、ＣＱＩの送信要求情報（CQI request）、パディングビット（Padding bit）が含まれる。
【０１１２】
すなわち、これらの情報（情報ビット）がマップされる情報フィールドが、ＤＣＩフォーマットＢに定義される。すなわち、ＤＣＩフォーマットＢには、上りリンクスケジューリング情報が含まれる。ここで、ＤＣＩフォーマットＢは、ある（特定の）移動局装置に対する上りリンクスケジューリング情報が含まれる。すなわち、ＤＣＩフォーマットＢは、基地局装置によって、移動局装置固有検索領域（ＵＳＳ：UE specific Search Space）に配置される。
【０１１３】
基地局装置は、ＤＣＩフォーマットＢに、Ａ−ＳＲＳの送信指示を含めて移動局装置へ送信し、移動局装置に対して、Ａ−ＳＲＳの送信を指示することができる。ここで、Ａ−ＳＲＳの送信指示は、例えば、ＤＣＩフォーマットＢにＡ−ＳＲＳの送信指示に対する情報フィールド（例えば、１ビットの情報フィールド）を定義することによって、実現することができる。
【０１１４】
また、Ａ−ＳＲＳの送信指示は、上述したようなＤＣＩフォーマットＢに含まれる情報フィールド（情報）の中の、ある特定の情報フィールド（情報）をある特定の値にセットすることによって、実現することができる。例えば、Ａ−ＳＲＳの送信指示は、ＤＣＩフォーマットＢに含まれるFlag for format differentiationを“０”に、Resource block assignmentを“１”に設定することによって、実現することができる。また、この際、ＤＣＩフォーマットＢに含まれる残りの情報フィールド（ある特定の情報フィールド以外の情報フィールド）を、Ａ−ＳＲＳを送信するための情報フィールド（移動局装置が、Ａ−ＳＲＳを送信する際に使用するＡ−ＳＲＳパラメータがマップされる情報フィールド）として使用することもできる。
【０１１５】
ここで、ＤＣＩフォーマットＢに含まれるどの情報フィールド（どの情報）をどの値にセットした際に、Ａ−ＳＲＳの送信指示を示すのかは、仕様等によって事前に定義され、基地局装置と移動局装置の間で、既知とすることができる。
【０１１６】
すなわち、基地局装置は、ＤＣＩフォーマットＢに、Ａ−ＳＲＳの送信指示を明示的に含めて移動局装置へ送信し（例えば、Ａ−ＳＲＳの送信を指示する１ビットの情報を移動局装置へ送信し）、移動局装置に対して、Ａ−ＳＲＳの送信を指示することができる。また、基地局装置は、ＤＣＩフォーマットＢに含まれるある特定の情報フィールドをある特定の値にセットすることによって、Ａ−ＳＲＳの送信指示を移動局装置へ送信し、移動局装置に対して、Ａ−ＳＲＳの送信を指示することができる。
【０１１７】
また、例えば、基地局装置は、複数の移動局装置に対する複数のＴＰＣコマンドを含むＤＣＩフォーマットに、Ａ−ＳＲＳの送信指示を含めて送信することによって、移動局装置に対して、Ａ−ＳＲＳの送信を指示することができる。すなわち、基地局装置は上述したようなＤＣＩフォーマット３／３Ａ（ＤＣＩフォーマット３／３Ａと同様のＤＣＩフォーマットでも良い）を使用して、移動局装置に対して、Ａ−ＳＲＳの送信を指示することができる。
【０１１８】
以下、簡単のために、複数の移動局装置に対する複数のＴＰＣコマンドを含むＤＣＩフォーマット（ＤＣＩフォーマット３／３Ａ、ＤＣＩフォーマット３／３Ａと同様のＤＣＩフォーマットでも良い）を、ＤＣＩフォーマットＣと呼称する。
【０１１９】
例えば、ＤＣＩフォーマットＣは、基地局装置が、ＰＵＣＣＨに対するＴＰＣコマンドを通知する際に使用される。また、例えば、ＤＣＩフォーマットＣは、ＰＵＳＣＨに対するＴＰＣコマンドを通知する際に使用される。基地局装置は、ＤＣＩフォーマットＣに、複数のＴＰＣコマンドを含めて、複数の移動局装置へ送信することができる。すなわち、ＤＣＩフォーマットＣは、基地局装置によって、共通検索領域（ＣＳＳ：Common Search Space）に配置される。
【０１２０】
すなわち、複数のＴＰＣコマンドを示す情報（情報ビット）がマップされるフィールド（情報フィールド）が、ＤＣＩフォーマットＣに定義される。すなわち、ＤＣＩフォーマットＣには、複数の移動局装置に対するグループスケジューリング情報が含まれる。
【０１２１】
例えば、基地局装置は、移動局装置に対して、識別子（以下、ＳＲＳ−ＲＮＴＩとも呼称する）とインデックスを通知し、移動局装置は、基地局装置によって通知されたＳＲＳ−ＲＮＴＩによって識別されるＤＣＩフォーマットＣに含まれるインデックスに対応する情報フィールドを、自装置宛の情報フィールドとして認識することができる。すなわち、基地局装置は、ＤＣＩフォーマットＣの各情報フィールドに、複数の移動局装置に対するＡ−ＳＲＳの送信指示を含めて送信し、複数の移動局装置に対して、Ａ−ＳＲＳの送信を指示することができる。
【０１２２】
また、この際、基地局装置は、移動局装置へ複数のインデックスを通知し（ＤＣＩフォーマットＣ内の複数の情報フィールドを認識できる情報を通知し）、ＤＣＩフォーマットＣに含まれる情報フィールドを、Ａ−ＳＲＳを送信するための情報フィールド（移動局装置が、Ａ−ＳＲＳを送信する際に使用するＡ−ＳＲＳパラメータがマップされる情報フィールド）として使用することもできる。
【０１２３】
基地局装置によってＡ−ＳＲＳの送信が指示された移動局装置は、非周期的にＡ−ＳＲＳを基地局装置へ送信する。例えば、移動局装置は、基地局装置からＡ−ＳＲＳの送信指示が含まれるＤＣＩフォーマット（ＰＤＣＣＨでも良い）が通知されたサブフレームの所定後のサブフレーム（例えば、４サブフレーム後のサブフレーム）で、Ａ−ＳＲＳを基地局装置へ送信することができる。
【０１２４】
また、基地局装置は、移動局装置が、Ｐ−ＳＲＳを送信するサブフレームを、セル固有（cell specific）および／または移動局装置固有（UE specific）に、移動局装置へ設定することができる。また、基地局装置は、移動局装置がＡ−ＳＲＳを送信するサブフレームを、セル固有（cell specific）および／または移動局装置固有（UE specific）に、移動局装置へ設定することができる。以下、基地局装置によって設定される、移動局装置が、Ｐ−ＳＲＳおよび／またはＡ−ＳＲＳを送信するサブフレームをＳＲＳサブフレームとも呼称する。
【０１２５】
例えば、基地局装置は、ＳＲＳサブフレームを、報知情報（報知チャネル）を使用して、セル固有に、移動局装置へ設定することができる。また、基地局装置は、ＳＲＳサブフレームを、ＲＲＣシグナリングを使用して、移動局装置固有に、移動局装置へ設定することができる。例えば、基地局装置は、ＳＲＳサブフレームを、基準となるあるサブフレームからのオフセット値と周期によって設定することができる。
【０１２６】
移動局装置は、基地局装置によって設定されたＳＲＳサブフレームで、Ｐ−ＳＲＳを送信することができる。例えば、移動局装置は、基地局装置によって設定されたインターバルに従って、ＳＲＳサブフレームで、周期的にＰ−ＳＲＳを送信する。
【０１２７】
また、移動局装置は、基地局装置によって設定されたＳＲＳサブフレームで、Ａ−ＳＲＳを送信することができる。例えば、移動局装置は、基地局装置によってＡ−ＳＲＳの送信指示が含まれるＤＣＩフォーマットが通知されたサブフレームの後の、最初のＳＲＳサブフレームで、Ａ−ＳＲＳを送信する。すなわち、移動局装置は、基地局装置からＡ−ＳＲＳの送信指示が含まれるＤＣＩフォーマットを検出した後の、最初のＳＲＳサブフレームで、Ａ−ＳＲＳを送信する。
【０１２８】
また、基地局装置は、移動局装置が、Ｐ−ＳＲＳを送信する際に使用するパラメータ（Ｐ−ＳＲＳパラメータ）を、移動局装置に対して設定することができる。例えば、基地局装置は、Ｐ−ＳＲＳパラメータを、ＲＲＣシグナリングを使用して、移動局装置へ設定することができる。また、例えば、基地局装置は、移動局装置が、Ｐ−ＳＲＳパラメータを、ＰＤＣＣＨを使用して、移動局装置へ設定することができる。
【０１２９】
ここで、Ｐ−ＳＲＳパラメータには、移動局装置がＰ−ＳＲＳを送信する際のインターバル（送信周期）が含まれる。また、Ｐ−ＳＲＳパラメータには、移動局装置がＰ−ＳＲＳを送信するための送信帯域幅（ＳＲＳ送信帯域幅）が含まれる。また、Ｐ−ＳＲＳパラメータには、移動局装置間または信号間の直交性を維持するために使用されるサイクリックシフト（ＣＳ：Cyclic Shit）が含まれる。また、Ｐ−ＳＲＳパラメータには、Ｐ−ＳＲＳを配置する周波数位置を示す周波数割り当て位置を示す情報が含まれる。また、Ｐ−ＳＲＳパラメータには、Ｐ−ＳＲＳの送信を満了するための送信回数または送信停止時間が含まれる。また、Ｐ−ＳＲＳパラメータには、Ｐ−ＳＲＳを送信するアンテナポート（アンテナインデックス）が含まれる。また、Ｐ−ＳＲＳパラメータには、ＭＩＭＯのように複数のアンテナを同時に使用してＰ−ＳＲＳの送信を行うか否かを示す複数アンテナ同時送信フラグが含まれる。また、Ｐ−ＳＲＳパラメータには、Ｐ−ＳＲＳに対するＴＰＣコマンド（送信電力制御情報）が含まれる。
【０１３０】
また、基地局装置は、移動局装置が、Ａ−ＳＲＳを送信する際に使用するパラメータ（Ａ−ＳＲＳパラメータ）を、移動局装置に対して設定することができる。例えば、基地局装置は、Ａ−ＳＲＳパラメータを、ＲＲＣシグナリングを使用して、移動局装置へ設定することができる。また、例えば、基地局装置は、移動局装置が、Ａ−ＳＲＳパラメータを、ＰＤＣＣＨを使用して、移動局装置へ割り当てることができる。また、上述したように、基地局装置は、ＤＣＩフォーマットにコードポイントをセットすることによって、Ａ−ＳＲＳパラメータを、移動局装置へ割り当てることができる。
【０１３１】
ここで、Ａ−ＳＲＳパラメータには、移動局装置がＡ−ＳＲＳを送信する際の送信帯域幅（ＳＲＳ送信帯域幅）が含まれる。また、Ａ−ＳＲＳパラメータには、移動局装置間または信号間の直交性を維持するために使用されるサイクリックシフト（ＣＳ：Cyclic Shit）が含まれる。また、Ａ−ＳＲＳパラメータには、Ａ−ＳＲＳを配置する周波数位置を示す周波数割り当て位置を示す情報が含まれる。また、Ａ−ＳＲＳパラメータには、Ａ−ＳＲＳの送信を満了するための送信回数または送信停止時間が含まれる。また、Ａ−ＳＲＳパラメータには、Ａ−ＳＲＳを送信するアンテナポート（アンテナインデックス）が含まれる。また、Ａ−ＳＲＳパラメータには、ＭＩＭＯのように複数のアンテナを同時に使用してＡ−ＳＲＳの送信を行うか否かを示す複数アンテナ同時送信フラグが含まれる。また、Ａ−ＳＲＳパラメータには、Ａ−ＳＲＳに対するＴＰＣコマンド（送信電力制御情報）が含まれる。
【０１３２】
ここで、Ａ−ＳＲＳパラメータは、Ａ−ＳＲＳの送信を指示するＤＣＩフォーマット毎に設定されても良い。例えば、基地局装置からのＤＣＩフォーマットＡによってＡ−ＳＲＳの送信が指示された場合に使用するＡ−ＳＲＳパラメータと、ＤＣＩフォーマットＢによってＡ−ＳＲＳの送信が指示された場合に使用するＡ−ＳＲＳパラメータと、ＤＣＩフォーマットＣによってＡ−ＳＲＳの送信が指示された場合に使用するＡ−ＳＲＳパラメータが、それぞれ設定されても良い。移動局装置は、基地局装置からのＡ−ＳＲＳの送信指示を含んだＤＣＩフォーマットに応じて、使用するＡ−ＳＲＳパラメータを切り替えて、Ａ−ＳＲＳを基地局装置へ送信することができる。
【０１３３】
また、Ａ−ＳＲＳパラメータは、Ａ−ＳＲＳの送信を指示するＤＣＩフォーマットに依らずに、共通のＡ−ＳＲＳパラメータ（単一のＡ−ＳＲＳパラメータ）として設定されても良い。移動局装置は、基地局装置からＡ−ＳＲＳの送信指示を含んだＤＣＩフォーマットが通知された場合には、ＤＣＩフォーマットに依らずに（どのＤＣＩフォーマットによってＡ−ＳＲＳの送信が指示されたとしても）、単一のＡ−ＳＲＳパラメータを使用して、Ａ−ＳＲＳを基地局装置へ送信することができる。
【０１３４】
図５は、移動局装置によるＳＲＳ（Ｐ−ＳＲＳ、Ａ−ＳＲＳ）送信の例を示す図である。図５において、横軸はサブフレーム（時間）を示している。また、縦軸は周波数（周波数帯域）を示している。ここで、図５は、例として、移動局装置による１つの上りリンクコンポーネントキャリア内におけるＳＲＳの送信を示している。
【０１３５】
図５に示すように、例えば、基地局装置は、移動局装置に対して、上りリンクコンポーネント毎にＳＲＳ（Ｐ−ＳＲＳ、Ａ−ＳＲＳ）の送信を指示（設定）し、移動局装置は、基地局装置からの指示に従って、上りリンクコンポーネント毎にＳＲＳ（Ｐ−ＳＲＳ、Ａ−ＳＲＳ）を基地局装置へ送信することもできる。すなわち、基地局装置は、Ｐ−ＳＲＳパラメータおよび／またはＡ−ＳＲＳパラメータを、上りリンクコンポーネント毎に、移動局装置へ設定することができる。
【０１３６】
ここで、移動局装置が、上りリンク信号をマッピングするＳＣ−ＦＤＭＡシンボルそれぞれは、異なる用途に使用される。例えば、移動局装置が、上りリンク信号を７つのＳＣ−ＦＤＭＡシンボル（０番から６番の７つのＳＣ−ＦＤＭＡシンボル）にマッピングして基地局装置へ送信する場合、ＳＲＳ（Ｐ−ＳＲＳ、Ａ−ＳＲＳ）は、６番目のＳＣ−ＦＤＭＡシンボルにマップされる。
【０１３７】
以下、簡単のために、移動局装置は、サブフレームにおいてＳＲＳ（Ｐ−ＳＲＳ、Ａ−ＳＲＳ）を基地局措置へ送信すると記載するが、ＳＲＳ（Ｐ−ＳＲＳ、Ａ−ＳＲＳ）は、サブフレーム内の、あるＳＣ−ＦＤＭＡシンボルにマッピングされて基地局装置へ送信されても良い。また、以下に記載するような、Ｐ−ＳＲＳの送信とＡ−ＳＲＳの送信が同時に生じる（Ｐ−ＳＲＳの送信とＡ−ＳＲＳの送信が衝突する）ことは、Ｐ−ＳＲＳの送信とＡ−ＳＲＳの送信が、シンボルレベルで、同時に生じる（衝突する）ことを示していても良い。
【０１３８】
図５では、基地局装置が、ＳＲＳサブフレームとして、サブフレームｎ−２、サブフレームｎ、サブフレームｎ＋２、サブフレームｎ＋４、サブフレームｎ＋６、サブフレームｎ＋８、サブフレームｎ＋１０を移動局装置へ設定していることを示している。移動局装置は、基地局装置によって設定されたＳＲＳサブフレームで、ＳＲＳ（Ｐ−ＳＲＳ、Ａ−ＳＲＳ）を基地局装置へ送信することができる。
【０１３９】
また、移動局装置は、基地局装置からＡ−ＳＲＳの送信指示を含むＤＣＩフォーマットが通知されたサブフレームの所定後のサブフレーム（例えば、４サブフレーム後のサブフレーム）で、Ａ−ＳＲＳを送信することができる。また、移動局装置は、基地局装置からＡ−ＳＲＳの送信指示を含むＤＣＩフォーマット（ＰＤＣＣＨでも良い）が通知されたサブフレームの後の、最初のＳＲＳサブフレーム（ＳＲＳを送信可能なサブフレーム）で、Ａ−ＳＲＳを送信することができる。
【０１４０】
図５では、移動局装置が、基地局装置からの指示に従って、Ｐ−ＳＲＳ（網線で示される）を、サブフレームｎ−２、サブフレームｎ＋２、サブフレームｎ＋４、サブフレームｎ＋６、サブフレームｎ＋１０で基地局装置へ送信していることを示している。すなわち、移動局装置は、基地局装置によって設定されたインターバル（２サブフレーム毎、２ｍｓ毎）に従って、周期的に（２サブフレーム毎に、２ｍｓ毎に）Ｐ−ＳＲＳを基地局装置へ送信する。
【０１４１】
ここで、移動局装置は、サブフレームｎ＋４、サブフレームｎ＋１０で、基地局装置によって設定された送信帯域幅（ＳＲＳ送信帯域幅）に従って、帯域Ｃの一部である（帯域Ｃを分割した帯域の一部である）帯域Ｃ−１でＰ−ＳＲＳを基地局装置へ送信する。また、移動局装置は、サブフレームｎ−２、サブフレームｎ＋２、サブフレームｎ＋６、サブフレームｎ＋１０で、基地局装置によって設定された送信帯域幅（ＳＲＳ送信帯域幅）に従って、帯域Ｃの一部である（帯域Ｃを分割した帯域の一部である）帯域Ｃ−２でＰ−ＳＲＳを基地局装置へ送信する。ここで、移動局装置が、ある帯域（帯域Ｃ−１、帯域Ｃ−２）で、Ｐ−ＳＲＳを送信する送信する順番は、予め定義される（基地局装置によって設定されても良い）。また、基地局装置は、Ｐ−ＳＲＳを１回だけ送信するように、移動局装置へ設定することができる。
【０１４２】
また、図５では、移動局装置が、基地局装置からの指示に従って、Ａ−ＳＲＳ（斜線で示される）を、サブフレームｎ、サブフレームｎ＋８で基地局装置へ送信していることを示している。
【０１４３】
ここで、移動局装置は、サブフレームｎで、基地局装置によって設定された送信帯域幅（ＳＲＳ送信）帯域幅）に従って、帯域ＡでＡ−ＳＲＳを基地局装置へ送信する。また、移動局装置は、サブフレームｎ＋８で、基地局装置によって設定された送信帯域幅（ＳＲＳ送信）帯域幅）に従って、帯域ＢでＡ−ＳＲＳを基地局装置へ送信する。  
【０１４４】
また、図５において、サブフレームｎ、サブフレームｎ＋８は、Ｐ−ＳＲＳの送信とＡ−ＳＲＳの送信が同時に生じているサブフレームを示している。図５において、移動局装置は、Ｐ−ＳＲＳの送信とＡ−ＳＲＳの送信が同時に生じた場合には、Ｐ−ＳＲＳを送信せずに（ドロップして）、Ａ−ＳＲＳを基地局装置へ送信することができる。ここで、移動局装置は、Ｐ−ＳＲＳの送信とＡ−ＳＲＳの送信が同時に生じた場合には、Ｐ−ＳＲＳとＡ−ＳＲＳを多重して共に、基地局装置へ送信することもできる。例えば、移動局装置は、Ｐ−ＳＲＳの送信とＡ−ＳＲＳの送信が同時に生じた場合には、Ｐ−ＳＲＳとＡ−ＳＲＳをコード多重して共に、基地局装置へ送信することができる。
【０１４５】
ここで、図５では、例として、移動局装置が、基地局装置によって設定されたＳＲＳサブフレーム全てにおいて、ＳＲＳ（Ｐ−ＳＲＳ、Ａ−ＳＲＳ）を送信しているが、移動局装置は、基地局装置によってＳＲＳの送信が指示されていない場合には、ＳＲＳを送信しない。すなわち、移動局装置は、基地局装置によって設定された全てのＳＲＳサブフレームで、ＳＲＳを送信しなくても良い。
【０１４６】
図６は、移動局装置によるＡ−ＳＲＳ送信の例を説明する図である。図６において、横軸は、サブフレーム（時間）を表している。また、基地局装置が、ＳＲＳサブフレームとして、サブフレームｎ−２、サブフレームｎ＋６を移動局装置へ設定していることを示している。また、移動局装置が、基地局装置によって設定されたサブフレームｎ−２、サブフレームｎ＋６で、Ｐ−ＳＲＳ（網線で示される）を送信していることを示している。また、移動局装置が、サブフレームｎ＋４で、Ａ−ＳＲＳ（斜線で示される）を送信していることを示している。
【０１４７】
図６において、基地局装置は、Ａ−ＳＲＳの送信指示を含むＤＣＩフォーマットを少なくとも１つは含む複数のＤＣＩフォーマットを、同一サブフレームで、移動局装置へ通知することができる。すなわち、基地局装置は、複数の異なるＤＣＩフォーマットを、同一サブフレームで、移動局装置へ通知することができる。図６では、基地局装置が、Ａ−ＳＲＳの送信指示を含むＤＣＩフォーマットを少なくとも１つは含む複数のＤＣＩフォーマット（第１のＤＣＩフォーマット、第２のＤＣＩフォーマット、第３のＤＣＩフォーマットで示される）を、サブフレームｎで、移動局装置へ通知していることを示している。
【０１４８】
ここで、図６では、例として、基地局装置が、３つのＤＣＩフォーマットを、同一サブフレームで、移動局装置へ通知しているが、基地局装置によって、同一サブフレームで通知されるＤＣＩフォーマットは、いくつであってもいいことは勿論である。
【０１４９】
ここで、基地局装置によって、移動局装置へ通知されるＤＣＩフォーマットには、上述したようなＤＣＩフォーマットＡ、ＤＣＩフォーマットＢ、ＤＣＩフォーマットＣが含まれる。また、基地局装置によって、移動局装置へ通知されるＤＣＩフォーマットには、上述したようなＡ−ＳＲＳの送信指示を含むＤＣＩフォーマットＡ、Ａ−ＳＲＳの送信指示を含むＤＣＩフォーマットＢ、Ａ−ＳＲＳの送信指示を含むＤＣＩフォーマットＣが含まれる。
【０１５０】
図６において、Ａ−ＳＲＳの送信指示を含むＤＣＩフォーマットを少なくとも１つは含む複数のＤＣＩフォーマットを、同一サブフレームで、基地局装置から通知された移動局装置は、複数のＤＣＩフォーマットのうち、所定のＤＣＩフォーマットがＡ−ＳＲＳの送信指示を含んでいる場合には、Ａ−ＳＲＳを基地局装置へ送信することができる。図６では、移動局装置は、Ａ−ＳＲＳを、基地局装置からＡ−ＳＲＳの送信指示が含まれるＤＣＩフォーマットが通知されたサブフレームの４サブフレーム後のサブフレーム（サブフレームｎ＋４）で、Ａ−ＳＲＳを基地局装置へ送信していることを示している。
【０１５１】
例えば、移動局装置は、基地局装置から通知された複数のＤＣＩフォーマットのうち、ＤＣＩフォーマットＡがＡ−ＳＲＳの送信指示を含んでいる場合には（Ａ−ＳＲＳの送信指示を含むＤＣＩフォーマットＡが通知された場合には、Ａ−ＳＲＳの送信指示を含むＤＣＩフォーマットＡを検出した場合には）、Ａ−ＳＲＳを基地局装置へ送信することができる。
【０１５２】
また、例えば、移動局装置は、基地局装置から通知された複数のＤＣＩフォーマットのうち、ＤＣＩフォーマットＢがＡ−ＳＲＳの送信指示を含んでいる場合には（Ａ−ＳＲＳの送信指示を含むＤＣＩフォーマットＢが通知された場合には、Ａ−ＳＲＳの送信指示を含むＤＣＩフォーマットＢを検出した場合には）、Ａ−ＳＲＳを基地局装置へ送信することができる。
【０１５３】
また、例えば、移動局装置は、基地局装置から通知された複数のＤＣＩフォーマットのうち、ＤＣＩフォーマットＣがＡ−ＳＲＳの送信指示を含んでいる場合には（Ａ−ＳＲＳの送信指示を含むＤＣＩフォーマットＣが通知された場合には、Ａ−ＳＲＳの送信指示を含むＤＣＩフォーマットＣを検出した場合には）、Ａ−ＳＲＳを基地局装置へ送信することができる。
【０１５４】
ここで、基地局装置から通知された複数のＤＣＩフォーマットのうち、どのＤＣＩフォーマットがＡ−ＳＲＳの送信指示を含んでいる場合に、移動局装置が、Ａ−ＳＲＳを送信するのかは、仕様等によって事前に定義される。すなわち、基地局装置と移動局装置の間で、基地局装置から通知された複数のＤＣＩフォーマットのうち、どのＤＣＩフォーマットがＡ−ＳＲＳの送信指示を含んでいる場合に、Ａ−ＳＲＳを送受信するのかが、事前に定義される。
【０１５５】
また、基地局装置から通知された複数のＤＣＩフォーマットのうち、どのＤＣＩフォーマットがＡ−ＳＲＳの送信指示を含んでいる場合に、移動局装置が、Ａ−ＳＲＳを送信するのかは、基地局装置によって、例えば、ＲＲＣシグナリングを使用して、設定されても良い。例えば、基地局装置は、ＤＣＩフォーマットＡにＡ−ＳＲＳの送信指示が含まれている場合には、Ａ−ＳＲＳを送信することを、移動局装置へ設定することができる。
【０１５６】
また、図６において、Ａ−ＳＲＳの送信指示を含むＤＣＩフォーマットを少なくとも１つは含む複数のＤＣＩフォーマットを、同一サブフレームで、基地局装置から通知された移動局装置は、複数のＤＣＩフォーマットのうち、所定のＤＣＩフォーマットを優先し、優先したＤＣＩフォーマットがＡ−ＳＲＳの送信指示を含んでいる場合には、Ａ−ＳＲＳを基地局装置へ送信することができる。
【０１５７】
例えば、移動局装置は、基地局装置から通知された複数のＤＣＩフォーマットのうち、ＤＣＩフォーマットＡを優先し、優先したＤＣＩフォーマットがＡ−ＳＲＳの送信指示を含んでいる場合には、Ａ−ＳＲＳを基地局装置へ送信することができる。
【０１５８】
また、例えば、移動局装置は、基地局装置から通知された複数のＤＣＩフォーマットのうち、ＤＣＩフォーマットＢを優先し、優先したＤＣＩフォーマットＢがＡ−ＳＲＳの送信指示を含んでいる場合には、Ａ−ＳＲＳを基地局装置へ送信することができる。
【０１５９】
また、例えば、移動局装置は、基地局装置から通知された複数のＤＣＩフォーマットのうち、ＤＣＩフォーマットＣを優先し、優先したＤＣＩフォーマットＣがＡ−ＳＲＳの送信指示を含んでいる場合には、Ａ−ＳＲＳを基地局装置へ送信することができる。
【０１６０】
ここで、基地局装置から通知された複数のＤＣＩフォーマットのうち、移動局装置が、どのＤＣＩフォーマットを優先するのかは、仕様等によって事前に定義される。すなわち、基地局装置が、複数のＤＣＩフォーマットを、同一サブフレームで、移動局装置へ通知した際に、移動局装置が、どのＤＣＩフォーマットに従って動作するのかが、事前に定義される。すなわち、基地局装置と移動局装置の間で、基地局装置から複数のＤＣＩフォーマットが通知された場合に、複数のＤＣＩフォーマットのうち、どのＤＣＩフォーマットに従って動作するのかが、事前に定義される。
【０１６１】
また、基地局装置から通知された複数のＤＣＩフォーマットのうち、移動局装置が、どのＤＣＩフォーマットに従って動作するのかは、基地局装置によって、例えば、ＲＲＣシグナリングを使用して、設定されても良い。例えば、基地局装置は、移動局装置に対して、ＤＣＩフォーマットＡに従って動作することを、設定することができる。
【０１６２】
例えば、基地局装置と移動局装置の間で、基地局装置から通知された複数のＤＣＩフォーマットのうち、Ａ−ＳＲＳの送信指示を含むＤＣＩフォーマットＢを最も優先し、次に、Ａ−ＳＲＳの送信指示を含むＤＣＩフォーマットＣを優先し、次に、Ａ−ＳＲＳの送信指示を含むＤＣＩフォーマットＡを優先することが、事前に定義される。すなわち、基地局装置と移動局装置の間で、基地局装置から複数のＤＣＩフォーマットが通知された場合に、Ａ−ＳＲＳの送信指示を含むＤＣＩフォーマットＢに従って動作することが、事前に定義される。
【０１６３】
また、例えば、基地局装置と移動局装置の間で、基地局装置から通知された複数のＤＣＩフォーマットのうち、ＤＣＩフォーマットＣを最も優先し、次に、Ａ−ＳＲＳの送信指示を含むＤＣＩフォーマットＣを優先し、次に、ＤＣＩフォーマットＡを優先し、次に、Ａ−ＳＲＳの送信指示を含むＤＣＩフォーマットＡを優先し、次に、ＤＣＩフォーマットＢを優先し、次に、Ａ−ＳＲＳの送信指示を含むＤＣＩフォーマットＢを優先することが、事前に定義される。すなわち、基地局装置と移動局装置の間で、基地局装置から複数のＤＣＩフォーマットが通知された場合に、ＤＣＩフォーマットＣに従って動作することが、事前に定義される。
【０１６４】
また、例えば、基地局装置と移動局装置の間で、基地局装置から通知された複数のＤＣＩフォーマットのうち、ＤＣＩフォーマットＢを最も優先し、次に、ＤＣＩフォーマットＡを優先し、次に、ＤＣＩフォーマットＣを優先することが、事前に定義されても良い。すなわち、ＤＣＩフォーマットＡ、ＤＣＩフォーマットＢ、ＤＣＩフォーマットＣに対する優先度のみが、事前に定義されても良い。すなわち、基地局装置と移動局装置の間で、基地局装置から複数のＤＣＩフォーマット（ＤＣＩフォーマットＡ、ＤＣＩフォーマットＢ、ＤＣＩフォーマットＣ）が通知された場合に、複数のＤＣＩフォーマットのうち、どのＤＣＩフォーマットに従って動作するのかが、事前に定義されても良い。
【０１６５】
例えば、基地局装置から通知された複数のＤＣＩフォーマットのうち、ＤＣＩフォーマットＢに従って動作することが事前に定義された移動局装置は、基地局装置から通知されたＤＣＩフォーマットＢにＡ−ＳＲＳの送信指示が含まれている場合には、Ａ−ＳＲＳを基地局装置へ送信することができる。すなわち、基地局装置から通知された複数のＤＣＩフォーマットのうち、ＤＣＩフォーマットＢに従って動作することが事前に定義された移動局装置は、Ａ−ＳＲＳの送信指示を含むＤＣＩフォーマットＢに従って、Ａ−ＳＲＳを基地局装置へ送信することができる。
【０１６６】
また、例えば、基地局装置から通知された複数のＤＣＩフォーマットのうち、ＤＣＩフォーマットＢに従って動作することが事前に定義された移動局装置は、基地局装置から通知されたＤＣＩフォーマットＡおよび／またはＤＣＩフォーマットＣにＡ−ＳＲＳの送信指示が含まれていたとしても、Ａ−ＳＲＳを基地局装置へ送信しない。例えば、基地局装置から通知された複数のＤＣＩフォーマットのうち、ＤＣＩフォーマットＢに従って動作することが事前に定義された移動局装置は、Ａ−ＳＲＳの送信指示を含まないＤＣＩフォーマットＢによってスケジュールされたＰＵＳＣＨを使用して、上りリンクデータを基地局装置へ送信する。
【０１６７】
また、図６において、複数のＤＣＩフォーマットを、同一サブフレームで、基地局装置から通知された移動局装置は、複数のＤＣＩフォーマットの全てがＡ−ＳＲＳの送信指示を含んでいる場合には、Ａ−ＳＲＳを基地局装置へ送信することができる。
【０１６８】
例えば、移動局装置は、基地局装置から通知された複数のＤＣＩフォーマット（第１のＤＣＩフォーマット、第２のＤＣＩフォーマット、第３のＤＣＩフォーマット）の全てにＡ−ＳＲＳの送信指示が含まれている場合には、Ａ−ＳＲＳを基地局装置へ送信することができる。
【０１６９】
上記までに示したように、基地局装置が、複数のＤＣＩフォーマットを、同一サブフレームで、移動局装置へ通知した際に、移動局装置が、所定のＤＣＩフォーマットにＡ−ＳＲＳの送信指示が含まれている場合には、Ａ−ＳＲＳを基地局装置へ送信することによって、基地局装置と移動局装置の間で、移動局装置によるＡ−ＳＲＳの送信が行われることを共有（認識）することができる。
【０１７０】
また、基地局装置が、複数の（異なる）ＤＣＩフォーマットを、同一サブフレームで、移動局装置へ通知した際に、移動局装置が、複数のＤＣＩフォーマットの全てにＡ−ＳＲＳの送信指示が含まれている場合には、Ａ−ＳＲＳを基地局装置へ送信することによって、基地局装置と移動局装置の間で、移動局装置によるＡ−ＳＲＳの送信が行われることを共有（認識）することができる。
【０１７１】
基地局装置は、移動局装置から送信されるＡ−ＳＲＳに基づいて、移動局装置をスケジューリングし、例えば、ＰＵＳＣＨリソースの割り当てやＰＵＳＣＨに施すべき変調方式、符号化率の決定などを行うことができる。すなわち、基地局装置によって、移動局装置に対する効率的なスケジューリングを行うことができる。
【０１７２】
（第２の実施形態）
次に、基地局装置１００および移動局装置２００を用いた移動通信システムにおける第２の実施形態を説明する。第２の実施形態では、基地局装置は、ＳＲＳの送信指示を含むＤＣＩフォーマットを、少なくとも１つは含む複数のＤＣＩフォーマットを、ある特定の期間において、移動局装置へ通知し、移動局装置は、複数のＤＣＩフォーマットのうち、所定のＤＣＩフォーマットが、ＳＲＳの送信指示を含んでいる場合には、ＳＲＳを基地局装置へ送信する。
【０１７３】
また、基地局装置は、ＳＲＳの送信指示を含むＤＣＩフォーマットを、少なくとも１つは含む複数のＤＣＩフォーマットを、ある特定の期間において、移動局装置へ通知し、移動局装置は、ＳＲＳを送信するサブフレームの所定前のサブフレームに最も近いサブフレームで通知されたＤＣＩフォーマットが、ＳＲＳの送信指示を含んでいる場合には、ＳＲＳを前記基地局装置へ送信する。
【０１７４】
また、基地局装置は、複数のＤＣＩフォーマットを、ある特定の期間において、移動局装置へ通知し、移動局装置は、複数のＤＣＩフォーマットの全てが、ＳＲＳの送信指示を含んでいる場合には、ＳＲＳを基地局装置へ送信する。
【０１７５】
ここで、ある特定の期間とは、移動局装置が、ＳＲＳを基地局装置へ送信した次のサブフレームから、再度、ＳＲＳを前記基地局装置へ送信するサブフレームまでの期間が含まれる。また、ある特定の期間とは、移動局装置が、ＳＲＳを基地局装置へ送信したサブフレームから、再度、ＳＲＳを前記基地局装置へ送信するサブフレームまでの期間が含まれる。すなわち、ある特定の期間とは、基地局装置によって設定されたＳＲＳサブフレーム（連続するＳＲＳサブフレーム）間の期間が含まれる。例えば、ある特定の期間には、図７におけるサブフレームｎ−１からサブフレームｎ＋６までの期間が含まれる。また、例えば、ある特定の期間には、図７におけるサブフレームｎ−２からサブフレームｎ＋６までの期間が含まれる。
【０１７６】
また、ある特定の期間とは、移動局装置が、ＳＲＳを基地局装置へ送信した次のサブフレームから、再度、ＳＲＳを基地局装置へ送信するサブフレームの所定前のサブフレーム（例えば、４サブフレーム前のサブフレーム）までの期間が含まれる。また、ある特定の期間とは、移動局装置が、ＳＲＳを基地局装置へ送信したサブフレームから、再度、ＳＲＳを基地局装置へ送信するサブフレームの所定前のサブフレーム（例えば、４サブフレーム前のサブフレーム）までの期間が含まれる。例えば、ある特定の期間には、図７におけるサブフレームｎ−１からサブフレームｎ＋２までの期間が含まれる。また、例えば、ある特定の期間には、図７におけるサブフレームｎ−２からサブフレームｎ＋２までの期間が含まれる。
【０１７７】
ここで、移動局装置が、ＳＲＳを基地局装置へ送信するサブフレームとは、移動局装置が、Ｐ−ＳＲＳを基地局装置へ送信するサブフレームが含まれる。また、移動局装置が、ＳＲＳを基地局装置へ送信するサブフレームとは、移動局装置が、Ａ−ＳＲＳを基地局装置へ送信するサブフレームが含まれる。
【０１７８】
また、ある特定の期間とは、基地局装置から移動局装置へ設定される期間が含まれる。例えば、基地局装置は、ある特定の期間を、報知情報を使用して、移動局装置へ設定することができる。また、例えば、基地局装置は、ある特定の期間を、ＲＲＣシグナリングを使用して、移動局装置へ設定することができる。
【０１７９】
また、基地局装置は、移動局装置が、ＳＲＳを基地局装置へ送信するサブフレームを、セル固有に、移動局装置へ設定することができる。また、基地局装置は、移動局装置が、ＳＲＳを基地局装置へ送信するサブフレームを、移動局装置固有に、移動局装置へ設定することができる。移動局装置は、基地局装置から設定されたサブフレームで、ＳＲＳを基地局装置へ送信することができる。
【０１８０】
また、基地局装置は、ＳＲＳの送信指示を含むＤＣＩフォーマットを、移動局装置固有検索領域（ＵＳＳ：UE specific Search Space）に配置することができる。ここで、基地局装置は、ＵＳＳに配置するＳＲＳの送信指示を含むＤＣＩフォーマットに、下りリンクスケジューリングの情報を含めて、移動局装置へ通知することができる。また、基地局装置は、ＵＳＳに配置するＳＲＳの送信指示を含むＤＣＩフォーマットに、上りリンクスケジューリングの情報を含めて、移動局装置へ通知することができる。
【０１８１】
また、基地局装置は、ＳＲＳの送信指示を含むＤＣＩフォーマットを、共通検索領域（ＣＳＳ：Common Search Space）に配置することができる。
【０１８２】
第２の実施形態は、第１の実施形態で説明した移動通信システムと同様の移動通信システムに適用可能である。すなわち、第２の実施形態は、対称周波数帯域集約および非対称周波数帯域集約されたいずれの移動通信システムにでも適用可能である。
【０１８３】
第１の実施形態で説明したように、基地局装置は、移動局装置に対して、Ｐ−ＳＲＳの送信を指示することができる。また、基地局装置は、移動局装置に対して、Ａ−ＳＲＳの送信を指示することができる。ここで、基地局装置によるＰ−ＳＲＳの送信指示、Ａ−ＳＲＳの送信指示に関しては、第１の実施形態で説明したので省略する。
【０１８４】
また、移動局装置は、基地局装置からの指示に従って、周期的にＰ−ＳＲＳを基地局装置へ送信することができる。また、移動局装置は、基地局装置からの指示に従って、非周期的にＡ−ＳＲＳを基地局装置へ送信することができる。ここで、移動局装置によるＰ−ＳＲＳの送信、Ａ−ＳＲＳの送信に関しては、第１の実施形態で説明したので省略する。
【０１８５】
図７は、移動局装置によるＡ−ＳＲＳ送信の例を説明する図である。図７において、横軸は、サブフレーム（時間）を表している。また、基地局装置が、ＳＲＳサブフレームとして、サブフレームｎ−２、サブフレームｎ＋６を移動局装置へ設定していることを示している。また、移動局装置が、基地局装置によって設定されたサブフレームｎ−２で、Ｐ−ＳＲＳ（網線で示される）を送信していることを示している。また、移動局装置が、基地局装置によって設定されたサブフレームｎ＋６で、Ａ−ＳＲＳ（斜線で示される）を送信していることを示している。
【０１８６】
すなわち、図７において、移動局装置は、基地局装置からＡ−ＳＲＳの送信指示を含むＤＣＩフォーマット（ＰＤＣＣＨでも良い）が通知されたサブフレームの後の、最初のＳＲＳサブフレーム（ＳＲＳを送信可能なサブフレーム）で、Ａ−ＳＲＳを基地局装置へ送信する。
【０１８７】
図７において、基地局装置は、Ａ−ＳＲＳの送信指示を含むＤＣＩフォーマットを少なくとも１つは含む複数のＤＣＩフォーマットを、ある特定の期間において、移動局装置へ通知することができる。すなわち、基地局装置は、複数の異なるＤＣＩフォーマットを、ある特定の期間において、移動局装置へ通知することができる。図７では、基地局装置が、Ａ−ＳＲＳの送信指示を含むＤＣＩフォーマットを少なくとも１つは含む複数のＤＣＩフォーマット（第１のＤＣＩフォーマット、第２のＤＣＩフォーマット、第３のＤＣＩフォーマットで示される）それぞれを、サブフレームｎ−１、ｎ＋１、ｎ＋５で、移動局装置へ通知していることを示している。
【０１８８】
ここで、以下の説明では、ある特定の期間を、移動局装置が、ＳＲＳを基地局装置へ送信した次のサブフレームから、再度、ＳＲＳを基地局装置へ送信するサブフレームまでの期間として説明するが、上述したような期間であれば、同様の実施形態が適用できることは勿論である。また、図７では、例として、基地局装置が、３つのＤＣＩフォーマットを、ある特定の期間において、移動局装置へ通知しているが、基地局装置によって、ある特定の期間において通知されるＤＣＩフォーマットは、いくつであってもいいことは勿論である。
【０１８９】
ここで、基地局装置によって、移動局装置へ通知されるＤＣＩフォーマットには、上述したようなＤＣＩフォーマットＡ、ＤＣＩフォーマットＢ、ＤＣＩフォーマットＣが含まれる。また、基地局装置によって、移動局装置へ通知されるＤＣＩフォーマットには、上述したようなＡ−ＳＲＳの送信指示を含むＤＣＩフォーマットＡ、Ａ−ＳＲＳの送信指示を含むＤＣＩフォーマットＢ、Ａ−ＳＲＳの送信指示を含むＤＣＩフォーマットＣが含まれる。
【０１９０】
図７において、Ａ−ＳＲＳの送信指示を含むＤＣＩフォーマットを少なくとも１つは含む複数のＤＣＩフォーマットを、ある特定の期間において、基地局装置から通知された移動局装置は、複数のＤＣＩフォーマットのうち、所定のＤＣＩフォーマットがＡ−ＳＲＳの送信指示を含んでいる場合には、Ａ−ＳＲＳを基地局装置へ送信することができる。
【０１９１】
例えば、移動局装置は、基地局装置から通知された複数のＤＣＩフォーマットのうち、ＤＣＩフォーマットＡがＡ−ＳＲＳの送信指示を含んでいる場合には（Ａ−ＳＲＳの送信指示を含むＤＣＩフォーマットＡが通知された場合には、Ａ−ＳＲＳの送信指示を含むＤＣＩフォーマットＡを検出した場合には）、Ａ−ＳＲＳを基地局装置へ送信することができる。
【０１９２】
また、例えば、移動局装置は、基地局装置から通知された複数のＤＣＩフォーマットのうち、ＤＣＩフォーマットＢがＡ−ＳＲＳの送信指示を含んでいる場合には（Ａ−ＳＲＳの送信指示を含むＤＣＩフォーマットＢが通知された場合には、Ａ−ＳＲＳの送信指示を含むＤＣＩフォーマットＢを検出した場合には）、Ａ−ＳＲＳを基地局装置へ送信することができる。
【０１９３】
また、例えば、移動局装置は、基地局装置から通知された複数のＤＣＩフォーマットのうち、ＤＣＩフォーマットＣがＡ−ＳＲＳの送信指示を含んでいる場合には（Ａ−ＳＲＳの送信指示を含むＤＣＩフォーマットＣが通知された場合には、Ａ−ＳＲＳの送信指示を含むＤＣＩフォーマットＣを検出した場合には）、Ａ−ＳＲＳを基地局装置へ送信することができる。
【０１９４】
ここで、基地局装置から通知された複数のＤＣＩフォーマットのうち、どのＤＣＩフォーマットがＡ−ＳＲＳの送信指示を含んでいる場合に、移動局装置が、Ａ−ＳＲＳを送信するのかは、仕様等によって事前に定義される。すなわち、基地局装置と移動局装置の間で、基地局装置から通知された複数のＤＣＩフォーマットのうち、どのＤＣＩフォーマットがＡ−ＳＲＳの送信指示を含んでいる場合に、Ａ−ＳＲＳを送受信するのかが、事前に定義される。
【０１９５】
また、基地局装置から通知された複数のＤＣＩフォーマットのうち、どのＤＣＩフォーマットがＡ−ＳＲＳの送信指示を含んでいる場合に、移動局装置が、Ａ−ＳＲＳを送信するのかは、基地局装置によって、例えば、ＲＲＣシグナリングを使用して、設定されても良い。例えば、基地局装置は、移動局装置に対して、Ａ−ＳＲＳの送信指示がＤＣＩフォーマットＡに含まれている場合には、Ａ−ＳＲＳを送信することを、設定することができる。
【０１９６】
また、図７において、Ａ−ＳＲＳの送信指示を含むＤＣＩフォーマットを少なくとも１つは含む複数のＤＣＩフォーマットを、ある特定の期間において、基地局装置から通知された移動局装置は、複数のＤＣＩフォーマットのうち、所定のＤＣＩフォーマットを優先し、優先したＤＣＩフォーマットがＡ−ＳＲＳの送信指示を含んでいる場合には、Ａ−ＳＲＳを基地局装置へ送信することができる。
【０１９７】
例えば、移動局装置は、基地局装置から通知された複数のＤＣＩフォーマットのうち、ＤＣＩフォーマットＡを優先し、優先したＤＣＩフォーマットがＡ−ＳＲＳの送信指示を含んでいる場合には、Ａ−ＳＲＳを基地局装置へ送信することができる。
【０１９８】
また、例えば、移動局装置は、基地局装置から通知された複数のＤＣＩフォーマットのうち、ＤＣＩフォーマットＢを優先し、優先したＤＣＩフォーマットＢがＡ−ＳＲＳの送信指示を含んでいる場合には、Ａ−ＳＲＳを基地局装置へ送信することができる。
【０１９９】
また、例えば、移動局装置は、基地局装置から通知された複数のＤＣＩフォーマットのうち、ＤＣＩフォーマットＣを優先し、優先したＤＣＩフォーマットＣがＡ−ＳＲＳの送信指示を含んでいる場合には、Ａ−ＳＲＳを基地局装置へ送信することができる。
【０２００】
ここで、基地局装置から通知された複数のＤＣＩフォーマットのうち、移動局装置が、どのＤＣＩフォーマットを優先するのかは、仕様等によって事前に定義される。すなわち、基地局装置が、複数のＤＣＩフォーマットを、ある特定の期間において、移動局装置へ通知した際に、移動局装置が、どのＤＣＩフォーマットに従って動作するのかが、事前に定義される。すなわち、基地局装置と移動局装置の間で、基地局装置から複数のＤＣＩフォーマットが通知された場合に、複数のＤＣＩフォーマットのうち、どのＤＣＩフォーマットに従って動作するのかが、事前に定義される。
【０２０１】
また、基地局装置から通知された複数のＤＣＩフォーマットのうち、移動局装置が、どのＤＣＩフォーマットに従って動作するのかは、基地局装置によって、例えば、ＲＲＣシグナリングを使用して、設定されても良い。例えば、基地局装置は、移動局装置に対して、ＤＣＩフォーマットＡに従って動作することを、設定することができる。
【０２０２】
例えば、基地局装置と移動局装置の間で、基地局装置から通知された複数のＤＣＩフォーマットのうち、Ａ−ＳＲＳの送信指示を含むＤＣＩフォーマットＢを最も優先し、次に、Ａ−ＳＲＳの送信指示を含むＤＣＩフォーマットＣを優先し、次に、Ａ−ＳＲＳの送信指示を含むＤＣＩフォーマットＡを優先することが、事前に定義される。すなわち、基地局装置と移動局装置の間で、基地局装置から複数のＤＣＩフォーマットが通知された場合に、Ａ−ＳＲＳの送信指示を含むＤＣＩフォーマットＢに従って動作することが、事前に定義される。
【０２０３】
また、例えば、基地局装置と移動局装置の間で、基地局装置から通知された複数のＤＣＩフォーマットのうち、ＤＣＩフォーマットＣを最も優先し、次に、Ａ−ＳＲＳの送信指示を含むＤＣＩフォーマットＣを優先し、次に、ＤＣＩフォーマットＡを優先し、次に、Ａ−ＳＲＳの送信指示を含むＤＣＩフォーマットＡを優先し、次に、ＤＣＩフォーマットＢを優先し、次に、Ａ−ＳＲＳの送信指示を含むＤＣＩフォーマットＢを優先することが、事前に定義される。すなわち、基地局装置と移動局装置の間で、基地局装置から複数のＤＣＩフォーマットが通知された場合に、ＤＣＩフォーマットＣに従って動作することが、事前に定義される。
【０２０４】
また、例えば、基地局装置と移動局装置の間で、基地局装置から通知された複数のＤＣＩフォーマットのうち、ＤＣＩフォーマットＢを最も優先し、次に、ＤＣＩフォーマットＡを優先し、次に、ＤＣＩフォーマットＣを優先することが、事前に定義されても良い。すなわち、ＤＣＩフォーマットＡ、ＤＣＩフォーマットＢ、ＤＣＩフォーマットＣに対する優先度のみが、事前に定義されても良い。すなわち、基地局装置と移動局装置の間で、基地局装置から複数のＤＣＩフォーマット（ＤＣＩフォーマットＡ、ＤＣＩフォーマットＢ、ＤＣＩフォーマットＣ）が通知された場合に、複数のＤＣＩフォーマットのうち、どのＤＣＩフォーマットに従って動作するのかが、事前に定義されても良い。
【０２０５】
例えば、基地局装置から通知された複数のＤＣＩフォーマットのうち、ＤＣＩフォーマットＢに従って動作することが事前に定義された移動局装置は、基地局装置から通知されたＤＣＩフォーマットＢにＡ−ＳＲＳの送信指示が含まれている場合には、Ａ−ＳＲＳを基地局装置へ送信することができる。すなわち、基地局装置から通知された複数のＤＣＩフォーマットのうち、ＤＣＩフォーマットＢに従って動作することが事前に定義された移動局装置は、Ａ−ＳＲＳの送信指示を含むＤＣＩフォーマットＢに従って、Ａ−ＳＲＳを基地局装置へ送信することができる。
【０２０６】
また、例えば、基地局装置から通知された複数のＤＣＩフォーマットのうち、ＤＣＩフォーマットＢに従って動作することが事前に定義された移動局装置は、基地局装置から通知されたＤＣＩフォーマットＡおよび／またはＤＣＩフォーマットＣにＡ−ＳＲＳの送信指示が含まれていたとしても、Ａ−ＳＲＳを基地局装置へ送信しない。例えば、基地局装置から通知された複数のＤＣＩフォーマットのうち、ＤＣＩフォーマットＢに従って動作することが事前に定義された移動局装置は、Ａ−ＳＲＳの送信指示を含まないＤＣＩフォーマットＢによってスケジュールされたＰＵＳＣＨを使用して、上りリンクデータを基地局装置へ送信する。
【０２０７】
また、図７において、Ａ−ＳＲＳの送信指示を含むＤＣＩフォーマットを少なくとも１つは含む複数のＤＣＩフォーマットを、ある特定の期間において、基地局装置から通知された移動局装置は、ＳＲＳを送信するサブフレームの所定前のサブフレーム（例えば、４サブフレーム前のサブフレーム）に最も近い（最近の、直前の、latestな）サブフレームで通知されたＤＣＩフォーマットが、Ａ−ＳＲＳの送信指示を含んでいる場合には、Ａ−ＳＲＳを基地局装置へ送信することができる。
【０２０８】
すなわち、移動局装置は、ＳＲＳを送信するサブフレームの所定前のサブフレーム（例えば、４サブフレーム前のサブフレーム）に最も近いサブフレームで通知されたＤＣＩフォーマットに従って、動作することができる。
【０２０９】
例えば、図７において、ある特定の期間（例えば、サブフレームｎ−１からサブフレームｎ＋６までの期間）において、Ａ−ＳＲＳの送信指示を含むＤＣＩフォーマットを少なくとも１つは含む複数のＤＣＩフォーマットが通知された移動局装置は、サブフレームｎ＋６で、Ａ−ＳＲＳを送信する。すなわち、移動局装置が、ＳＲＳを送信するサブフレームは、サブフレームｎ＋６である。
【０２１０】
すなわち、図７において、移動局装置は、ＳＲＳを送信するサブフレーム（サブフレームｎ＋６）の所定前のサブフレーム（例えば、４サブフレーム前のサブフレームｎ＋２）に最も近いサブフレームで通知されたＤＣＩフォーマットが、Ａ−ＳＲＳの送信指示を含んでいる場合には、Ａ−ＳＲＳを基地局装置へ送信することができる。すなわち、移動局装置は、ＳＲＳを送信するサブフレーム（サブフレームｎ＋６）の所定前のサブフレーム（例えば、４サブフレーム前のサブフレームｎ＋２）に最も近いサブフレームで通知されたＤＣＩフォーマットに従って、動作することができる。
【０２１１】
すなわち、図７において、移動局装置は、ＳＲＳを送信するサブフレーム（サブフレームｎ＋６）の所定前のサブフレーム（例えば、４サブフレーム前のサブフレームｎ＋２）に最も近いサブフレームで通知された第２のＤＣＩフォーマットが、Ａ−ＳＲＳの送信指示を含んでいる場合には、Ａ−ＳＲＳを基地局装置へ送信することができる。すなわち、移動局装置は、ＳＲＳを送信するサブフレーム（サブフレームｎ＋６）の所定前のサブフレーム（例えば、４サブフレーム前のサブフレームｎ＋２）に最も近いサブフレームで通知された第２のＤＣＩフォーマットに従って、動作することができる。
【０２１２】
図７において、基地局装置から通知された複数のＤＣＩフォーマットのうち、第２のＤＣＩフォーマットに従って動作することを認識した移動局装置は、基地局装置から通知された第２のＤＣＩフォーマットにＡ−ＳＲＳの送信指示が含まれている場合には、Ａ−ＳＲＳを基地局装置へ送信することができる。すなわち、基地局装置から通知された複数のＤＣＩフォーマットのうち、第２のＤＣＩフォーマットに従って動作することを認識した移動局装置は、Ａ−ＳＲＳの送信指示を含む第２のＤＣＩフォーマットに従って、Ａ−ＳＲＳを基地局装置へ送信することができる。
【０２１３】
また、例えば、基地局装置から通知された複数のＤＣＩフォーマットのうち、第２のＤＣＩフォーマットに従って動作することを認識した移動局装置は、基地局装置から通知された第１のＤＣＩフォーマットＡおよび／または第３のＤＣＩフォーマットＣにＡ−ＳＲＳの送信指示が含まれていたとしても、Ａ−ＳＲＳを基地局装置へ送信しない。例えば、基地局装置から通知された複数のＤＣＩフォーマットのうち、第２のＤＣＩフォーマットに従って動作することを認識した移動局装置は、Ａ−ＳＲＳの送信指示を含まない第２のＤＣＩフォーマットによってスケジュールされたＰＵＳＣＨを使用して、上りリンクデータを基地局装置へ送信する。
【０２１４】
また、図７において、Ａ−ＳＲＳの送信指示を含むＤＣＩフォーマットを少なくとも１つは含む複数のＤＣＩフォーマットを、ある特定の期間において、基地局装置から通知された移動局装置は、ＳＲＳを送信するサブフレームに最も近い（最近の、直前の、latestな）サブフレームで通知されたＤＣＩフォーマットが、Ａ−ＳＲＳの送信指示を含んでいる場合には、Ａ−ＳＲＳを基地局装置へ送信することができる。
【０２１５】
すなわち、移動局装置は、ＳＲＳを送信するサブフレームに最も近いサブフレームで通知されたＤＣＩフォーマットに従って、動作することができる。
【０２１６】
例えば、図７において、ある特定の期間（例えば、サブフレームｎ−１からサブフレームｎ＋６までの期間）において、Ａ−ＳＲＳの送信指示を含むＤＣＩフォーマットを少なくとも１つは含む複数のＤＣＩフォーマットが通知された移動局装置は、サブフレームｎ＋６で、Ａ−ＳＲＳを送信する。すなわち、移動局装置が、ＳＲＳを送信するサブフレームは、サブフレームｎ＋６である。
【０２１７】
すなわち、図７において、移動局装置は、ＳＲＳを送信するサブフレーム（サブフレームｎ＋６）に最も近いサブフレームで通知されたＤＣＩフォーマットが、Ａ−ＳＲＳの送信指示を含んでいる場合には、Ａ−ＳＲＳを基地局装置へ送信することができる。すなわち、移動局装置は、ＳＲＳを送信するサブフレーム（サブフレームｎ＋６）に最も近いサブフレームで通知されたＤＣＩフォーマットに従って、動作することができる。
【０２１８】
すなわち、図７において、移動局装置は、ＳＲＳを送信するサブフレーム（サブフレームｎ＋６）に最も近いサブフレームで通知された第３のＤＣＩフォーマットが、Ａ−ＳＲＳの送信指示を含んでいる場合には、Ａ−ＳＲＳを基地局装置へ送信することができる。すなわち、移動局装置は、ＳＲＳを送信するサブフレーム（サブフレームｎ＋６）に最も近いサブフレームで通知された第３のＤＣＩフォーマットに従って、動作することができる。
【０２１９】
すなわち、図７において、基地局装置から通知された複数のＤＣＩフォーマットのうち、第３のＤＣＩフォーマットに従って動作することを認識した移動局装置は、基地局装置から通知された第３のＤＣＩフォーマットにＡ−ＳＲＳの送信指示が含まれている場合には、Ａ−ＳＲＳを基地局装置へ送信することができる。すなわち、基地局装置から通知された複数のＤＣＩフォーマットのうち、第３のＤＣＩフォーマットに従って動作することを認識した移動局装置は、Ａ−ＳＲＳの送信指示を含む第３のＤＣＩフォーマットに従って、Ａ−ＳＲＳを基地局装置へ送信することができる。
【０２２０】
また、例えば、基地局装置から通知された複数のＤＣＩフォーマットのうち、第３のＤＣＩフォーマットに従って動作することを認識した移動局装置は、基地局装置から通知された第１のＤＣＩフォーマットＡおよび／または第２のＤＣＩフォーマットＣにＡ−ＳＲＳの送信指示が含まれていたとしても、Ａ−ＳＲＳを基地局装置へ送信しない。例えば、基地局装置から通知された複数のＤＣＩフォーマットのうち、第３のＤＣＩフォーマットに従って動作することを認識した移動局装置は、Ａ−ＳＲＳの送信指示を含まない第３のＤＣＩフォーマットによってスケジュールされたＰＵＳＣＨを使用して、上りリンクデータを基地局装置へ送信する。
【０２２１】
ここで、移動局装置が、ＳＲＳを送信するサブフレーム（ＳＲＳサブフレームでも良い）は、ある特定の期間に含まれても良い。また、移動局装置が、ＳＲＳを送信するサブフレーム（ＳＲＳサブフレームでも良い）は、ある特定の期間において、移動局装置が、最後にＳＲＳを送信するサブフレーム（ＳＲＳサブフレームでも良い）であっても良い。また、移動局装置が、ＳＲＳを送信するサブフレーム（ＳＲＳサブフレームでも良い）は、Ｐ−ＳＲＳを送信するサブフレームが含まれる。また、移動局装置が、ＳＲＳを送信するサブフレーム（ＳＲＳサブフレームでも良い）は、Ａ−ＳＲＳを送信するサブフレームが含まれる。
【０２２２】
また、図７において、複数のＤＣＩフォーマットを、ある特定の期間において、基地局装置から通知された移動局装置は、複数のＤＣＩフォーマットの全てがＡ−ＳＲＳの送信指示を含んでいる場合には、Ａ−ＳＲＳを基地局装置へ送信することができる。
【０２２３】
例えば、移動局装置は、基地局装置から通知された複数のＤＣＩフォーマット（第１のＤＣＩフォーマット、第２のＤＣＩフォーマット、第３のＤＣＩフォーマット）の全てにＡ−ＳＲＳの送信指示が含まれている場合には、Ａ−ＳＲＳを基地局装置へ送信することができる。
【０２２４】
上記までに示したように、基地局装置が、複数のＤＣＩフォーマットを、ある特定の期間において、移動局装置へ通知した際に、移動局装置が、所定のＤＣＩフォーマットにＡ−ＳＲＳの送信指示が含まれている場合には、Ａ−ＳＲＳを基地局装置へ送信することによって、基地局装置と移動局装置の間で、移動局装置によるＡ−ＳＲＳの送信が行われることを共有（認識）することができる。
【０２２５】
また、基地局装置が、複数のＤＣＩフォーマットを、ある特定の期間において、移動局装置へ通知した際に、移動局装置が、ＳＲＳを送信するサブフレームの所定前のサブフレームに最も近いサブフレームで通知されたＤＣＩフォーマットにＡ−ＳＲＳの送信指示が含まれている場合には、Ａ−ＳＲＳを基地局装置へ送信することによって、基地局装置と移動局装置の間で、移動局装置によるＡ−ＳＲＳの送信が行われることを共有（認識）することができる。
【０２２６】
また、基地局装置が、複数のＤＣＩフォーマットを、ある特定の期間において、移動局装置へ通知した際に、移動局装置が、複数のＤＣＩフォーマットの全てにＡ−ＳＲＳの送信指示が含まれている場合には、Ａ−ＳＲＳを基地局装置へ送信することによって、基地局装置と移動局装置の間で、移動局装置によるＡ−ＳＲＳの送信が行われることを共有（認識）することができる。
【０２２７】
基地局装置は、移動局装置から送信されるＡ−ＳＲＳに基づいて、移動局装置をスケジューリングし、例えば、ＰＵＳＣＨリソースの割り当てやＰＵＳＣＨに施すべき変調方式、符号化率の決定などを行うことができる。すなわち、基地局装置によって、移動局装置に対する効率的なスケジューリングを行うことができる。
【０２２８】
以上説明した実施形態は、基地局装置および移動局装置に搭載される集積回路／チップセットにも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０２２９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０２３０】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０２３１】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
0005886452.tif 000002
【図２】
0005886452.tif 000003
【図３】
0005886452.tif 000004
【図４】
0005886452.tif 000005
【図５】
0005886452.tif 000006
【図６】
0005886452.tif 000007
【図７】
0005886452.tif 000008
【図８】
0005886452.tif 000009
【図９】
0005886452.tif 000010